(57)【要約】  液注入器システムは、投与ラインを通じて患者と流体連通する複数の液容器を作動させるのに用いられる少なくとも１つの駆動構成要素に操作可能に関連する制御デバイスを含む。制御デバイスは、１つ以上の段階を備える診断注入プロトコールのプログラム設定を可能にするようにプログラム又は構成される少なくとも１つのプロセッサを含み、１つ以上の段階にしたがって、第１及び第２の液容器の少なくとも一方は、患者への第１の液及び第２の液の少なくとも一方の注入を可能にするように少なくとも１つの駆動構成要素によって選択的に作動可能である。制御デバイスは、診断注入プロトコールの１つ以上の段階にしたがった第１の液及び第２の液の少なくとも一方の投与ラインへの少なくとも部分的な予備充填の選択及び開始を可能にするようにさらにプログラム又は構成される。
2021520876.tif 000002
【特許請求の範囲】
【請求項１】
複数の液容器を作動させるのに用いられる、少なくとも１つの駆動構成要素に操作可能に関連する制御デバイスであって、前記複数の液容器を、投与ラインを通じて患者と流体連通する状態に置くことができるとともに、前記液容器のうちの第１の液容器に造影剤溶液を含む第１の液を充填することができ、前記液容器のうちの第２の液容器にフラッシング剤を含む第２の液を充填することができ、
前記制御デバイスは、１つ以上の段階を備える診断注入プロトコールのプログラム設定を可能にするようにプログラム又は構成される少なくとも１つのプロセッサを含み、前記１つ以上の段階にしたがって、前記第１及び前記第２の液容器の少なくとも一方は、画像診断法のスキャン期間にわたって、前記患者の少なくとも１つの関心領域の効果強調が行なわれるような、前記患者への前記投与ラインを介した前記第１の液及び前記第２の液の少なくとも一方の注入を可能にするように、前記少なくとも１つの駆動構成要素によって選択的に作動可能である、制御デバイスを備える液注入器システムであって、
前記制御デバイスは、前記診断注入プロトコールの前記プログラム設定と前記第２の液による前記投与ラインのプライミングとの完了の際、前記診断注入プロトコールの１つ以上の段階にしたがった前記第１の液及び前記第２の液の少なくとも一方の前記投与ラインへの少なくとも部分的な予備充填の選択及び開始を可能にするようにさらにプログラム又は構成される、液注入器システム。
【請求項２】
前記少なくとも１つのプロセッサに操作可能に関連しており、前記液注入器システムの複数の動作の制御に関連する複数のユーザ入力を受け付けるように構成されるユーザインタフェースをさらに含み、前記複数のユーザ入力の集合は前記複数の動作の対応する集合の制御に関連しており、前記複数の動作の対応する集合の制御は、前記診断注入プロトコールの１つ以上の段階にしたがった前記第１の液及び前記第２の液の少なくとも一方の前記投与ラインへの少なくとも部分的な予備充填の選択及び開始の可能化に関与する、請求項１に記載の液注入器システム。
【請求項３】
前記複数のユーザ入力の集合は、
予備充填選択コマンドであって、前記ユーザインタフェースに入力されると、前記制御デバイスが、前記投与ラインへの前記診断注入プロトコール分の少なくとも部分的な予備充填に関して、前記液注入器システムを準備する、予備充填選択コマンドと、
予備充填開始コマンドであって、前記予備充填選択コマンドの後に前記ユーザインタフェースに入力されると、前記制御デバイスが前記複数の液容器を作動させ、これにより、前記診断注入プロトコールの１つ以上の段階にしたがった、前記第１の液及び前記第２の液の少なくとも一方の前記投与ラインへの少なくとも部分的な予備充填を開始する、予備充填開始コマンドと、
予備充填無効化コマンドであって、前記予備充填選択コマンドの後に前記ユーザインタフェースに入力されると、前記制御デバイスが前記予備充填選択コマンドの効果を無効化する、予備充填無効化コマンドと、を含む、請求項２に記載の液注入器システム。
【請求項４】
前記制御デバイスは、前記診断注入プロトコールにしたがって注入される前記第１の液及び前記第２の液の前記少なくとも一方の総量を計算するようにさらにプログラム又は構成されており、これにより前記ユーザインタフェースに前記予備充填開始コマンドが入力される際、前記制御デバイスが、
前記診断注入プロトコールにしたがって注入される前記第１の液及び前記第２の液の少なくとも一方の総量が前記投与ラインの容量に等しいと判断すると、前記複数の液容器の１つ以上を作動させ、これにより、前記診断注入プロトコールの１つ以上の段階にしたがって、前記診断注入プロトコール分の総量を前記投与ラインに予備充填し、これにより、前記第２の液による前記投与ラインの前記プライミングに用いられた前記第２の液の量を前記投与ラインから排出し、
前記診断注入プロトコールにしたがって注入される前記第１の液及び前記第２の液の少なくとも一方の総量が前記投与ラインの容量未満であると判断すると、前記複数の液容器の１つ以上を作動させ、これにより、前記診断注入プロトコールの１つ以上の段階にしたがって前記診断注入プロトコール分の総量を前記投与ラインに予備充填した後に、前記投与ラインの容量から前記診断注入プロトコール分の総量を差し引いたものに等しい前記第２の液の補充量を予備充填し、これにより、前記第２の液による前記投与ラインの前記プライミングに用いられた前記第２の液の量を前記投与ラインから排出し、
前記診断注入プロトコールにしたがって注入される前記第１の液及び前記第２の液の少なくとも一方の総量が前記投与ラインの容量を超えると判断すると、前記複数の液容器の１つ以上を作動させ、これにより、前記投与ラインの容量が許容する限り多くの前記第１の液及び前記第２の液の少なくとも一方を、前記診断注入プロトコールの１つ以上の段階にしたがって前記投与ラインに予備充填して、前記診断注入プロトコールが患者に実行されるまで前記診断注入プロトコールの残りの部分を前記プログラム設定に保持し、これにより、前記第２の液による前記投与ラインの前記プライミングに用いられた前記第２の液の量を前記投与ラインから排出する、請求項３に記載の液注入器システム。
【請求項５】
前記ユーザインタフェースは、前記診断注入プロトコールの１つ以上の段階にしたがった前記第１の液及び前記第２の液の少なくとも一方の前記投与ラインへの少なくとも部分的な予備充填の状態に関連する情報を表示するように構成される、請求項２に記載の液注入器システム。
【請求項６】
前記ユーザインタフェースは、
前記診断注入プロトコールにしたがって注入される前記第１の液及び前記第２の液の少なくとも一方の総量と、
前記診断注入プロトコールの１つ以上の段階の各々についての、前記第１の液及び前記第２の液の少なくとも一方の特定の量、及び前記特定の量がその投与中に前記患者に注入される流量と、
の少なくとも１つを表示するように構成される、請求項２に記載の液注入器システム。
【請求項７】
前記液容器のうちの前記第１の液容器はシリンジを備え、前記液容器のうちの前記第２の液容器はシリンジを備える、請求項１に記載の液注入器システム。
【請求項８】
診断注入プロトコールの１つ以上の段階にしたがって、第１の液及び第２の液の少なくとも一方の投与ラインへの少なくとも部分的な予備充填を可能にするコンピュータプログラム製品であって、前記コンピュータプログラム製品は少なくとも１つの非一時的コンピュータ可読媒体を備え、前記少なくとも１つの非一時的コンピュータ可読媒体は、少なくとも１つのプロセッサによって実行されるときに、
液注入器システムの制御デバイスへの前記診断注入プロトコールのプログラム設定を可能にし、前記制御デバイスは、複数の液容器を選択的に作動させるのに用いられる少なくとも１つの駆動構成要素と操作可能に関連して、前記複数の液容器を、前記投与ラインを通じて患者と流体連通する状態に置くことができるとともに、前記液容器のうちの第１の液容器に造影剤溶液を含む前記第１の液を充填することができ、前記液容器のうちの第２の液容器にフラッシング剤を含む前記第２の液を充填することができること、及び
前記診断注入プロトコールの前記プログラム設定と前記第２の液による前記投与ラインのプライミングとの完了の際、前記診断注入プロトコールの１つ以上の段階にしたがった前記第１の液及び前記第２の液の少なくとも一方の前記投与ラインへの少なくとも部分的な予備充填の選択及び開始を可能にすること、
を、前記少なくとも１つのプロセッサに行なわせる１つ以上の指示を含む、コンピュータプログラム製品。
【請求項９】
前記１つ以上の指示は、少なくとも１つのプロセッサによって実行されるとき、
前記少なくとも１つのプロセッサに操作可能に関連するユーザインタフェースから、前記液注入器システムの複数の動作の制御に関連する複数のユーザ入力の少なくとも１つを受け付けることを、前記少なくとも１つのプロセッサにさらに行なわせ、
前記複数のユーザ入力の集合は、前記診断注入プロトコールの１つ以上の段階にしたがった前記第１の液及び前記第２の液の少なくとも一方の前記投与ラインへの少なくとも部分的な予備充填の選択及び開始の可能化に関与する、前記複数の動作の対応する集合の制御に関連する、請求項８に記載のコンピュータプログラム製品。
【請求項１０】
前記複数のユーザ入力の集合は、
予備充填選択コマンドであって、前記ユーザインタフェースに入力されると、記制御デバイスが、前記投与ラインへの前記診断注入プロトコール分の少なくとも部分的な予備充填に関して、前記液注入器システムを前準備する、予備充填選択コマンドと、
予備充填開始コマンドであって、前記予備充填選択コマンドの後に前記ユーザインタフェースに入力されると、前記制御デバイスが前記複数の液容器を作動させ、これにより、前記診断注入プロトコールの１つ以上の段階にしたがった、前記第１の液及び前記第２の液の少なくとも一方の前記投与ラインへの前記少なくとも部分的な予備充填を開始する、予備充填開始コマンドと、
予備充填無効化コマンドであって、前記予備充填選択コマンドの後に前記ユーザインタフェースに入力されると、前記制御デバイスが前記予備充填選択コマンドの効果を無効化する、予備充填無効化コマンドと、
を含む、請求項９に記載のコンピュータプログラム製品。
【請求項１１】
前記１つ以上の指示は、少なくとも１つのプロセッサによって実行されるとき、
前記診断注入プロトコールにしたがって注入される前記第１の液及び前記第２の液の前記少なくとも一方の総量を前記少なくとも１つのプロセッサにさらに計算させ、これにより、前記ユーザインタフェースに前記予備充填開始コマンドが入力される際、前記少なくとも１つのプロセッサが、
前記診断注入プロトコールにしたがって注入される前記第１の液及び前記第２の液の少なくとも一方の総量が前記投与ラインの容量に等しいと判断すると、前記複数の液容器の１つ以上を作動させ、これにより、前記診断注入プロトコールの１つ以上の段階にしたがって、前記診断注入プロトコール分の総量を前記投与ラインに予備充填し、これにより、前記第２の液による前記投与ラインの前記プライミングに用いられた前記第２の液の量を前記投与ラインから排出し、
前記診断注入プロトコールにしたがって注入される前記第１の液及び前記第２の液の少なくとも一方の総量が前記投与ラインの容量未満であると判断すると、前記複数の液容器の１つ以上を作動させ、これにより、前記診断注入プロトコールの１つ以上の段階にしたがって前記診断注入プロトコール分の総量を前記投与ラインに予備充填した後に、前記投与ラインの容量から前記診断注入プロトコール分の総量を差し引いたものに等しい前記第２の液の補充量を予備充填し、これにより、前記第２の液による前記投与ラインの前記プライミングに用いられた前記第２の液の量を前記投与ラインから排出し、
前記診断注入プロトコールにしたがって注入される前記第１の液及び前記第２の液の少なくとも一方の総量が前記投与ラインの容量を超えると判断すると、前記複数の液容器の１つ以上を作動させ、これにより、前記投与ラインの容量が許容する限り多くの前記第１の液及び前記第２の液の少なくとも一方を、前記診断注入プロトコールの１つ以上の段階にしたがって前記投与ラインに予備充填して、前記診断注入プロトコールが患者に実行されるまで前記診断注入プロトコールの残りの部分を前記プログラム設定に保持し、これにより、前記第２の液による前記投与ラインの前記プライミングに用いられた前記第２の液の量を前記投与ラインから排出する、請求項９に記載のコンピュータプログラム製品。
【請求項１２】
前記１つ以上の指示は、少なくとも１つのプロセッサによって実行されるとき、
前記診断注入プロトコールの１つ以上の段階にしたがった、前記第１の液及び前記第２の液の少なくとも一方の前記投与ラインへの少なくとも部分的な予備充填の状態に関連する情報を、前記ユーザインタフェースを介して表示する、  ことを前記少なくとも１つのプロセッサにさらに行なわせる、請求項９に記載のコンピュータプログラム製品。
【請求項１３】
前記１つ以上の指示は、少なくとも１つのプロセッサによって実行されるとき、
前記診断注入プロトコールにしたがって注入される前記第１の液及び前記第２の液の少なくとも一方の総量と、
前記診断注入プロトコールの１つ以上の段階の各々についての、前記第１の液及び前記第２の液の少なくとも一方の特定の量、及び前記特定の量がその投与中に前記患者に注入される流量と、
の少なくとも１つを、前記ユーザインタフェースを介して表示する、ことを前記少なくとも１つのプロセッサにさらに行なわせる、請求項９に記載のコンピュータプログラム製品。
【請求項１４】
前記液容器のうちの前記第１の液容器はシリンジを備え、前記液容器のうちの前記第２の液容器はシリンジを備える、請求項８に記載のコンピュータプログラム製品。
【請求項１５】
診断注入プロトコールの１つ以上の段階にしたがった、第１の液及び第２の液の少なくとも一方の投与ラインへの少なくとも部分的な予備充填を可能にするコンピュータ実施方法であって、
液注入器システムの制御デバイスに前記診断注入プロトコールを少なくとも１つのプロセッサを介してプログラム設定するステップであって、前記制御デバイスは、複数の液容器を選択的に作動させるのに用いられる少なくとも１つの駆動構成要素に操作可能に関連し、前記複数の液容器を、投与ラインを通じて患者と流体連通する状態に置くことができるとともに、前記液容器のうちの第１の液容器に造影剤溶液を含む前記第１の液を充填することができ、前記液容器のうちの第２の液容器にフラッシング剤を含む前記第２の液を充填することができる、ステップと、
前記診断注入プロトコールの前記プログラム設定と前記第２の液による前記投与ラインのプライミングとの完了の際、前記診断注入プロトコールの１つ以上の段階にしたがった前記第１の液及び前記第２の液の少なくとも一方の前記投与ラインへの少なくとも部分的な予備充填の選択及び開始を、前記少なくとも１つのプロセッサを介して可能にするステップと、
を備える、コンピュータ実施方法。
【請求項１６】
前記少なくとも１つのプロセッサに操作可能に関連するユーザインタフェースから、前記液注入器システムの複数の動作の制御に関連する複数のユーザ入力の少なくとも１つを受け付けるステップをさらに備え、
前記複数のユーザ入力の集合は前記複数の動作の対応する集合の制御に関連しており、前記複数の動作の対応する集合の制御は、前記診断注入プロトコールの１つ以上の段階にしたがった前記第１の液及び前記第２の液の少なくとも一方の前記投与ラインへの少なくとも部分的な予備充填の選択及び開始の可能化に関与する、請求項１５に記載のコンピュータ実施方法。
【請求項１７】
前記複数のユーザ入力の集合は、
予備充填選択コマンドであって、前記ユーザインタフェースに入力されると、前記制御デバイスが、前記投与ラインへの前記診断注入プロトコール分の少なくとも部分的な予備充填に関して、前記液注入器システムを準備する、予備充填選択コマンドと、
予備充填開始コマンドであって、前記予備充填選択コマンドの後に前記ユーザインタフェースに入力されると、前記制御デバイスが前記複数の液容器を作動させ、これにより、前記診断注入プロトコールの１つ以上の段階にしたがった、前記第１の液及び前記第２の液の少なくとも一方の前記投与ラインへの少なくとも部分的な予備充填を開始する、予備充填開始コマンドと、
予備充填無効化コマンドであって、前記予備充填選択コマンドの後に前記ユーザインタフェースに入力されると、前記制御デバイスが前記予備充填選択コマンドの効果を無効化する、予備充填無効化コマンドと、
を含む、請求項１６に記載のコンピュータ実施方法。
【請求項１８】
前記診断注入プロトコールにしたがって注入される前記第１の液及び前記第２の液の前記少なくとも一方の総量を前記少なくとも１つのプロセッサにより計算するステップをさらに含み、前記ユーザインタフェースに前記予備充填開始コマンドが入力される際、前記制御デバイスが、
前記診断注入プロトコールにしたがって注入される前記第１の液及び前記第２の液の少なくとも一方の総量が前記投与ラインの容量に等しいと、前記少なくとも１つのプロセッサにより判断すると、前記複数の液容器の１つ以上を作動させ、これにより、前記診断注入プロトコールの前記１つ以上の段階にしたがって前記診断注入プロトコール分の総量を前記投与ラインに予備充填し、これにより、前記第２の液による前記投与ラインの前記プライミングに用いられた前記第２の液の量を前記投与ラインから排出し、
前記診断注入プロトコールにしたがって注入される前記第１の液及び前記第２の液の少なくとも一方の総量が前記投与ラインの容量未満であると、前記少なくとも１つのプロセッサにより判断すると、前記複数の液容器の１つ以上を作動させ、これにより、前記診断注入プロトコールの１つ以上の段階にしたがって前記診断注入プロトコール分の総量を前記投与ラインに予備充填した後に、前記投与ラインの容量から前記診断注入プロトコール分の総量を差し引いたものに等しい前記第２の液の補充量を予備充填し、これにより、前記第２の液による前記投与ラインの前記プライミングに用いられた前記第２の液の量を前記投与ラインから排出し、
前記診断注入プロトコールにしたがって注入される前記第１の液及び前記第２の液の前記少なくとも一方の総量が前記投与ラインの容量を超えると、前記少なくとも１つのプロセッサにより判断すると、前記複数の液容器の１つ以上を作動させ、これにより、前記投与ラインの容量が許容する限り多くの前記第１の液及び前記第２の液の少なくとも一方を、前記診断注入プロトコールの１つ以上の段階にしたがって前記投与ラインに予備充填して、前記診断注入プロトコールが患者に実行されるまで前記診断注入プロトコールの残りの部分を前記プログラム設定に保持し、これにより、前記第２の液による前記投与ラインの前記プライミングに用いられた前記第２の液の量を前記投与ラインから排出する、請求項１６に記載のコンピュータ実施方法。
【請求項１９】
前記診断注入プロトコールの１つ以上の段階にしたがった、前記第１の液及び前記第２の液の少なくとも一方の前記投与ラインへの少なくとも部分的な予備充填の状態に関連する情報を、前記ユーザインタフェースにより表示するステップをさらに含む、請求項１６に記載のコンピュータ実施方法。
【請求項２０】
前記診断注入プロトコールにしたがって注入される前記第１の液及び前記第２の液の少なくとも一方の総量と、
前記診断注入プロトコールの１つ以上の段階の各々についての、前記第１の液及び前記第２の液の少なくとも一方の特定の量、及び前記特定の量がその投与中に患者に注入される流量と、
の少なくとも１つを、前記ユーザインタフェースにより表示するステップをさらに含む、請求項１６に記載のコンピュータ実施方法。
【請求項２１】
前記液容器のうちの前記第１の液容器はシリンジを備え、前記液容器のうちの前記第２の液容器はシリンジを備える、請求項１５に記載のコンピュータ実施方法。
【発明の詳細な説明】
【技術分野】
【０００１】
関連する出願の参照
本出願は２０１８年４月１０日出願の米国仮特許出願第６２／６５５，３６８号の利益を主張し、本仮特許出願の開示の全体が参照により本明細書に援用される。
【背景技術】
【０００２】
本開示は、診断注入プロトコールの１つ以上の段階にしたがった、第１の液及び第２の液の少なくとも一方の投与ラインへの少なくとも部分的な予備充填を可能にする制御デバイスを有する液注入器システムに関する。本開示は、このような液注入器システムによって実行可能なタイプの診断注入プロトコールの１つ以上の段階にしたがった第１及び／又は第２の液の投与ラインへの少なくとも部分的な予備充填を可能にするコンピュータプログラム製品及びコンピュータ実施方法にも関する。
【０００３】
関連技術の説明
多くの医療診断及び治療処置では、内科医などの医師が患者に１以上の医療用液を注入する。近年、血管造影法、コンピュータ断層撮影法（ＣＴ）、超音波法、磁気共鳴映像法（ＭＲＩ）、陽電子放射断層撮影法（ＰＥＴ）及びその他分子イメージング手法などの手法に用いる、造影剤溶液（多くの場合、単に「造影剤」と称する）、生理食塩水などのフラッシング剤及びその他医療用液などの液の加圧注入用の数々の医療用液輸液システムが開発されている。一般的に、これらの医療用液輸液システムは、予め設定された量の液を予め設定された流量で輸液するように設計されている。
【０００４】
医療用液輸液システムは一般的に投与ラインを介して患者に接続される。ただし、投与ラインを患者に取り付ける前に投与ラインに対して液でプライミングを行なって投与ラインから空気を除去、すなわちフラッシングして、投与ラインから空気を除去しなければならない。空気が除去されると、液が投与ライン内に維持され、注入手順の初期段階で患者に注入される準備がなされる。一般的に、投与ラインの液量を反映するように医療用液輸液システムを較正することで、ラインをプライミングするのに用いられる液の先行分の量がいかなる量であっても適量の医療用液が患者に確実に注入される。しかし、一部の投与ラインの直径及び長さが比較的大きいと、患者に注入される余分な液の量が過大になるおそれがある。特に患者が小児である場合、投与ラインをプライミングするのに用いられる液量が患者の身体サイズ及び血液量と比較して臨床的に過大な液量に相当するおそれがある。一定の成人患者についても、様々な臨床的理由で余分な液の注入に特に敏感である場合がある。さらに、投与ラインをプライミングするのに用いられる液量が、過大な総輸液量に相当するおそれがある。特に、造影剤溶液の総量が２〜５ミリリットル（ｍｌ）と低い場合があるＭＲＩの処置では、典型的な投与ライン容積が８ｍｌであるので、優に２倍を超える量の造影剤溶液としてのフラッシング／プライミング液が注入されることになるおそれがある。
【先行技術文献】
【特許文献】
【０００５】
【特許文献１】米国特許第２０１６／０３３１９５１号明細書
【発明の概要】
【発明が解決しようとする課題】
【０００６】
上記に鑑みて、患者に無用な液を輸液せずに医療用液輸液システムを動作させる方法が必要である。
【課題を解決するための手段】
【０００７】
本開示は、概して、診断注入プロトコールの１つ以上の段階にしたがった液注入器システムの投与ラインへの少なくとも部分的な予備充填を可能にするシステム、方法及びコンピュータプログラム製品を対象にする。
【０００８】
本開示の態様及び例に係れば、液注入器システムは、複数の液容器を作動させるのに用いられる少なくとも１つの駆動構成要素に操作可能に関連する制御デバイスを含んでもよい。複数の液容器は、投与ラインを通じて患者と流体連通する状態に置くことができるものであってもよく、液容器のうちの第１の液容器に造影剤溶液を含む第１の液を充填することができ、液容器のうちの第２の液容器にフラッシング剤を含む第２の液を充填することができる。制御デバイスは、１つ以上の段階を有する診断注入プロトコールのプログラム設定を可能にするようにプログラム又は構成される、少なくとも１つのプロセッサを含んでもよく、１つ以上の段階にしたがって、第１及び第２の液容器の少なくとも一方は、画像診断法のスキャン期間にわたって患者の関心領域の少なくとも１つの、強調が行なわれるような患者への投与ラインを介した第１の液及び第２の液の少なくとも一方の注入を可能にするように、少なくとも１つの駆動構成要素によって選択的に作動可能である。制御デバイスは、診断注入プロトコールのプログラム設定と第２の液による投与ラインのプライミングとの完了の際、診断注入プロトコールの１つ以上の段階にしたがった第１の液及び第２の液の少なくとも一方の投与ラインへの少なくとも部分的な予備充填の選択及び開始を可能にするようにさらにプログラム又は構成されてもよい。
【０００９】
本開示の態様及び例に係れば、液注入器システムは、少なくとも１つのプロセッサに操作可能に関連するユーザインタフェースをさらに含んでもよい。ユーザインタフェースは液注入器システムの複数の動作の制御に関連する複数のユーザ入力を受け付けるように構成されてもよい。複数のユーザ入力の集合は、診断注入プロトコールの１つ以上の段階にしたがった第１の液及び第２の液の少なくとも一方の投与ラインへの少なくとも部分的な予備充填の選択及び開始の可能化に関与する複数の動作の対応する集合の制御に関連してもよい。
【００１０】
本開示の態様及び例に係れば、複数のユーザ入力の集合は、ユーザインタフェースに入力される予備充填選択コマンドであって、入力されると、投与ラインへの診断注入プロトコール分の少なくとも部分的な予備充填に備えて液注入器システムを制御デバイスが準備する、予備充填選択コマンドと、予備充填選択コマンドの後にユーザインタフェースに入力される予備充填開始コマンドであって、入力されると、制御デバイスが複数の液容器を作動させ、これにより、診断注入プロトコールの１つ以上の段階にしたがった第１の液及び第２の液の少なくとも一方の投与ラインへの少なくとも部分的な予備充填を開始する、予備充填開始コマンドと、予備充填選択コマンドの後にユーザインタフェースに入力される予備充填無効化コマンドであって、入力されると、制御デバイスが予備充填選択コマンドの効果を無効化する、予備充填無効化コマンドと、を含んでもよい。
【００１１】
本開示の態様及び例に係れば、制御デバイスは、診断注入プロトコールにしたがって注入される第１の液及び第２の液の少なくとも一方の総量を計算するようにさらにプログラム又は構成されてもよい。このようにすることにより、ユーザインタフェースに予備充填開始コマンドが入力される際、制御デバイスは、診断注入プロトコールにしたがって注入される第１の液及び第２の液の少なくとも一方の総量が投与ラインの容量に等しいと判断すると、複数の液容器の１つ以上を作動させ、これにより、診断注入プロトコールの１つ以上の段階にしたがって診断注入プロトコール分の総量を投与ラインに予備充填し、これにより、第２の液による投与ラインのプライミングに用いられた第２の液の量を投与ラインから排出する。制御デバイスは、診断注入プロトコールにしたがって注入される第１の液及び第２の液の少なくとも一方の総量が投与ラインの容量未満であると判断すると、複数の液容器の１つ以上を作動させ、これにより、診断注入プロトコールの１つ以上の段階にしたがって診断注入プロトコール分の総量を投与ラインに予備充填した後に、投与ラインの容量から診断注入プロトコール分の総量を差し引いたものに等しい第２の液の補充量を予備充填し、これにより、第２の液による投与ラインのプライミングに用いられた第２の液の量を投与ラインから排出する。制御デバイスは、診断注入プロトコールにしたがって注入される第１の液及び第２の液の少なくとも一方の総量が投与ラインの容量を超えると判断すると、複数の液容器の１つ以上を作動させ、これにより、投与ラインの容量が許容する限り多くの第１の液及び第２の液の少なくとも一方を診断注入プロトコールの１つ以上の段階にしたがって投与ラインに予備充填して、診断注入プロトコールが患者に実行されるまで診断注入プロトコールの残りの部分をプログラム設定に保持し、これにより、第２の液による投与ラインのプライミングに用いられた第２の液の量を投与ラインから排出する。
【００１２】
本開示の態様及び例に係れば、ユーザインタフェースは、診断注入プロトコールの１つ以上の段階にしたがった、第１の液及び第２の液の少なくとも一方の投与ラインへの少なくとも部分的な予備充填の状態に関連する情報を表示するように構成されてもよい。
【００１３】
本開示の態様及び例に係れば、ユーザインタフェースは、診断注入プロトコールにしたがって注入される第１の液及び第２の液の少なくとも一方の総量と、診断注入プロトコールの１つ以上の段階の各々についての、第１の液及び第２の液の少なくとも一方の特定の量、及び特定の量がその投与中に患者に注入される流量と、の少なくとも１つを表示するように構成されてもよい。
【００１４】
本開示の態様及び例に係れば、液容器のうちの第１の液容器はシリンジを含んでもよく、液容器のうちの第２の液容器はシリンジを含んでもよい。
【００１５】
本開示の態様及び例に係れば、診断注入プロトコールの１つ以上の段階にしたがった、第１の液及び第２の液の少なくとも一方の投与ラインへの少なくとも部分的な予備充填を可能にするコンピュータプログラム製品が開示されている。コンピュータプログラム製品は、少なくとも１つのプロセッサによって実行されるときに、液注入器システムの制御デバイスへの診断注入プロトコールのプログラム設定を可能にすることを少なくとも１つのプロセッサに行なわせる１つ以上の指示を含む、少なくとも１つの非一時的コンピュータ可読媒体を含んでもよい。制御デバイスは、複数の液容器を選択的に作動させるのに用いられる少なくとも１つの駆動構成要素に操作可能に関連してもよい。複数の液容器は、投与ラインを通じて患者と流体連通する状態に置くことができるものであってもよく、液容器のうちの第１の液容器に造影剤溶液を含む第１の液を充填することができ、液容器のうちの第２の液容器にフラッシング剤を含む第２の液を充填することができる。１つ以上の指示は、少なくとも１つのプロセッサによって実行されるとき、診断注入プロトコールのプログラム設定と第２の液による投与ラインのプライミングとの完了の際、診断注入プロトコールの１つ以上の段階にしたがった第１の液及び第２の液の少なくとも一方の投与ラインへの少なくとも部分的な予備充填の選択及び開始を可能にすることを少なくとも１つのプロセッサにさらに行なわせてもよい。
【００１６】
本開示の態様及び例に係れば、１つ以上の指示は、少なくとも１つのプロセッサによって実行されるとき、少なくとも１つのプロセッサに操作可能に関連するユーザインタフェースから液注入器システムの複数の動作の制御に関連する複数のユーザ入力の少なくとも１つを受け付けることを、少なくとも１つのプロセッサにさらに行なわせてもよい。複数のユーザ入力の集合は、診断注入プロトコールの１つ以上の段階にしたがった第１の液及び第２の液の少なくとも一方の投与ラインへの少なくとも部分的な予備充填の選択及び開始の可能化に関与する複数の動作の対応する集合の制御に関連してもよい。
【００１７】
本開示の態様及び例に係れば、複数のユーザ入力の集合は、ユーザインタフェースに入力される予備充填選択コマンドであって、入力されると、投与ラインへの診断注入プロトコール分の少なくとも部分的な予備充填に備えて液注入器システムを制御デバイスが準備する、予備充填選択コマンドと、予備充填選択コマンドの後にユーザインタフェースに入力される予備充填開始コマンドであって、入力されると、制御デバイスが複数の液容器を作動させ、これにより、診断注入プロトコールの１つ以上の段階にしたがった第１の液及び第２の液の少なくとも一方の投与ラインへの少なくとも部分的な予備充填を開始する、予備充填開始コマンドと、予備充填選択コマンドの後にユーザインタフェースに入力される予備充填無効化コマンドであって、入力されると、制御デバイスが予備充填選択コマンドの効果を無効化する、予備充填無効化コマンドと、を含む。
【００１８】
本開示の態様及び例に係れば、１つ以上の指示は、少なくとも１つのプロセッサによって実行されるとき、診断注入プロトコールにしたがって注入される第１の液及び第２の液の少なくとも一方の総量を計算することを少なくとも１つのプロセッサにさらに行なわせてもよい。このようにすることにより、ユーザインタフェースに予備充填開始コマンドが入力される際、少なくとも１つのプロセッサは、診断注入プロトコールにしたがって注入される第１の液及び第２の液の少なくとも一方の総量が投与ラインの容量に等しいと判断すると、複数の液容器の１つ以上を作動させ、これにより、診断注入プロトコールの１つ以上の段階にしたがって診断注入プロトコール分の総量を投与ラインに予備充填し、これにより、第２の液による投与ラインのプライミングに用いられた第２の液の量を投与ラインから排出する。少なくとも１つのプロセッサは、診断注入プロトコールにしたがって注入される第１の液及び第２の液の少なくとも一方の総量が投与ラインの容量未満であると判断すると、複数の液容器の１つ以上を作動させ、これにより、診断注入プロトコールの１つ以上の段階にしたがって、診断注入プロトコール分の総量を投与ラインに予備充填した後に、投与ラインの容量から診断注入プロトコール分の総量を差し引いたものに等しい第２の液の補充量を予備充填し、これにより、第２の液による投与ラインのプライミングに用いられた第２の液の量を投与ラインから排出する。少なくとも１つのプロセッサは、診断注入プロトコールにしたがって注入される第１の液及び第２の液の少なくとも一方の総量が投与ラインの容量を超えると判断すると、複数の液容器の１つ以上を作動させ、これにより、投与ラインの容量が許容する限り多くの第１の液及び第２の液の少なくとも一方を診断注入プロトコールの１つ以上の段階にしたがって投与ラインに予備充填して、診断注入プロトコールが患者に実行されるまで診断注入プロトコールの残りの部分をプログラム設定に保持し、これにより、第２の液による投与ラインのプライミングに用いられた第２の液の量を投与ラインから排出する。
【００１９】
本開示の態様及び例に係れば、１つ以上の指示は、少なくとも１つのプロセッサによって実行されるとき、診断注入プロトコールの１つ以上の段階にしたがった第１の液及び第２の液の少なくとも一方の投与ラインへの少なくとも部分的な予備充填の状態に関連する情報をユーザインタフェースを介して表示することを、少なくとも１つのプロセッサにさらに行なわせてもよい。
【００２０】
本開示の態様及び例に係れば、１つ以上の指示は、少なくとも１つのプロセッサによって実行されるとき、診断注入プロトコールにしたがって注入される第１の液及び第２の液の少なくとも一方の総量と、診断注入プロトコールの１つ以上の段階の各々についての、第１の液及び第２の液の少なくとも一方の特定の量、及び特定の量がその投与中に患者に注入される流量と、の少なくとも１つをユーザインタフェースを介して表示することを、少なくとも１つのプロセッサにさらに行なわせてもよい。
【００２１】
本開示の態様及び例に係れば、液容器のうちの第１の液容器はシリンジを含んでもよく、液容器のうちの第２の液容器はシリンジを含んでもよい。
【００２２】
本開示の態様及び例に係れば、診断注入プロトコールの１つ以上の段階にしたがった第１の液及び第２の液の少なくとも一方の投与ラインへの少なくとも部分的な予備充填を可能にするコンピュータ実施方法が開示されている。方法は、液注入器システムの制御デバイスに診断注入プロトコールを少なくとも１つのプロセッサを介してプログラム設定するステップであって、制御デバイスは、複数の液容器を選択的に作動させるのに用いられる少なくとも１つの駆動構成要素に操作可能に関連する、ステップを含む。複数の液容器は、投与ラインを通じて患者と流体連通する状態に置くことができるものであってもよく、液容器のうちの第１の液容器に造影剤溶液を含む第１の液を充填することができ、液容器のうちの第２の液容器にフラッシング剤を含む第２の液を充填することができる。方法は、診断注入プロトコールのプログラム設定と第２の液による投与ラインのプライミングとの完了の際、診断注入プロトコールの１つ以上の段階にしたがった第１の液及び第２の液の少なくとも一方の投与ラインへの少なくとも部分的な予備充填の選択及び開始を少なくとも１つのプロセッサを介して可能にするステップを含む。
【００２３】
本開示の態様及び例に係れば、方法は、少なくとも１つのプロセッサに操作可能に関連するユーザインタフェースから液注入器システムの複数の動作の制御に関連する複数のユーザ入力の少なくとも１つを受け付けるステップをさらに含んでもよい。複数のユーザ入力の集合は、診断注入プロトコールの１つ以上の段階にしたがった第１の液及び第２の液の少なくとも一方の投与ラインへの少なくとも部分的な予備充填の選択及び開始の可能化に関与する複数の動作の対応する集合の制御に関連してもよい。
【００２４】
本開示の態様及び例に係れば、複数のユーザ入力の集合は、ユーザインタフェースに入力される予備充填選択コマンドであって、入力されると、投与ラインへの診断注入プロトコール分の少なくとも部分的な予備充填に備えて液注入器システムを制御デバイスが準備する、予備充填選択コマンドと、予備充填選択コマンドの後にユーザインタフェースに入力される予備充填開始コマンドであって、入力されると、制御デバイスが複数の液容器を作動させ、これにより、診断注入プロトコールの１つ以上の段階にしたがった第１の液及び第２の液の少なくとも一方の投与ラインへの少なくとも部分的な予備充填を開始する、予備充填開始コマンドと、予備充填選択コマンドの後にユーザインタフェースに入力される予備充填無効化コマンドであって、入力されると、制御デバイスが予備充填選択コマンドの効果を無効化する、予備充填無効化コマンドと、を含んでもよい。
【００２５】
本開示の態様及び例に係れば、方法は、診断注入プロトコールにしたがって注入される第１の液及び第２の液の少なくとも一方の総量を少なくとも１つのプロセッサにより計算するステップをさらに含んでもよい。このようにすることにより、ユーザインタフェースに予備充填開始コマンドが入力される際、制御デバイスは、診断注入プロトコールにしたがって注入される第１の液及び第２の液の少なくとも一方の総量が投与ラインの容量に等しいと少なくとも１つのプロセッサにより判断すると、複数の液容器の１つ以上を作動させ、これにより、診断注入プロトコールの１つ以上の段階にしたがって診断注入プロトコール分の総量を投与ラインに予備充填し、これにより、第２の液による投与ラインのプライミングに用いられた第２の液の量を投与ラインから排出する。制御デバイスは、診断注入プロトコールにしたがって注入される第１の液及び第２の液の少なくとも一方の総量が投与ラインの容量未満であると少なくとも１つのプロセッサにより判断すると、複数の液容器の１つ以上を作動させ、これにより、診断注入プロトコールの１つ以上の段階にしたがって診断注入プロトコール分の総量を投与ラインに予備充填した後に、投与ラインの容量から診断注入プロトコール分の総量を差し引いたものに等しい第２の液の補充量を予備充填し、これにより、第２の液による投与ラインのプライミングに用いられた第２の液の量を投与ラインから排出する。制御デバイスは、診断注入プロトコールにしたがって注入される第１の液及び第２の液の少なくとも一方の総量が投与ラインの容量を超えると少なくとも１つのプロセッサにより判断すると、複数の液容器の１つ以上を作動させ、これにより、投与ラインの容量が許容する限り多くの第１の液及び第２の液の少なくとも一方を診断注入プロトコールの１つ以上の段階にしたがって投与ラインに予備充填して、診断注入プロトコールが患者に実行されるまで診断注入プロトコールの残りの部分をプログラム設定に保持し、これにより、第２の液による投与ラインのプライミングに用いられた第２の液の量を投与ラインから排出する。
【００２６】
本開示の態様及び例に係れば、方法は、診断注入プロトコールの１つ以上の段階にしたがった第１の液及び第２の液の少なくとも一方の投与ラインへの少なくとも部分的な予備充填の状態に関連する情報を、ユーザインタフェースにより表示するステップをさらに含んでもよい。
【００２７】
本開示の態様及び例に係れば、方法は、診断注入プロトコールにしたがって注入される第１の液及び第２の液の少なくとも一方の総量と、診断注入プロトコールの１つ以上の段階の各々についての、第１の液及び第２の液の少なくとも一方の特定の量、及び特定の量がその投与中に患者に注入される流量との少なくとも１つをユーザインタフェースにより表示するステップをさらに含んでもよい。
【００２８】
本開示の態様及び例に係れば、液容器のうちの第１の液容器はシリンジを含んでもよく、液容器のうちの第２の液容器はシリンジを含んでもよい。
【００２９】
本開示のさらなる例が以下の限定を課さない条項に説明されている。
【００３０】
条項１．複数の液容器を作動させるのに用いられる少なくとも１つの駆動構成要素に操作可能に関連する制御デバイスであって、複数の液容器を、投与ラインを通じて患者と流体連通する状態に置くことができ、液容器のうちの第１の液容器に造影剤溶液を含む第１の液を充填することができ、液容器のうちの第２の液容器にフラッシング剤を含む第２の液を充填することができ、制御デバイスは、１つ以上の段階を備える診断注入プロトコールのプログラム設定を可能にするようにプログラム又は構成される少なくとも１つのプロセッサを含み、１つ以上の段階にしたがって、第１及び第２の液容器の少なくとも一方は、画像診断法のスキャン期間にわたって患者の関心領域の少なくとも１つの、強調が行なわれるような患者への投与ラインを介した第１の液及び第２の液の少なくとも一方の注入を可能にするように、少なくとも１つの駆動構成要素によって選択的に作動可能である、制御デバイスを備える液注入器システムであって、制御デバイスは、診断注入プロトコールのプログラム設定と第２の液による投与ラインのプライミングとの完了の際、診断注入プロトコールの１つ以上の段階にしたがった第１の液及び第２の液の少なくとも一方の投与ラインへの少なくとも部分的な予備充填の選択及び開始を可能にするようにさらにプログラム又は構成される、液注入器システム。
【００３１】
条項２．少なくとも１つのプロセッサに操作可能に関連しており、液注入器システムの複数の動作の制御に関連する複数のユーザ入力を受け付けるように構成されるユーザインタフェースをさらに含み、複数のユーザ入力の集合は、診断注入プロトコールの１つ以上の段階にしたがった第１の液及び第２の液の少なくとも一方の投与ラインへの少なくとも部分的な予備充填の選択及び開始の可能化に関与する複数の動作の対応する集合の制御に関連する、条項１に記載の液注入器システム。
【００３２】
条項３．複数のユーザ入力の集合は、ユーザインタフェースに入力される予備充填選択コマンドであって、入力されると、投与ラインへの診断注入プロトコール分の少なくとも部分的な予備充填に備えて液注入器システムを制御デバイスが準備する、予備充填選択コマンドと、予備充填選択コマンドの後にユーザインタフェースに入力される予備充填開始コマンドであって、入力されると、制御デバイスが複数の液容器を作動させ、これにより、診断注入プロトコールの１つ以上の段階にしたがった第１の液及び第２の液の少なくとも一方の投与ラインへの少なくとも部分的な予備充填を開始する、予備充填開始コマンドと、予備充填選択コマンドの後にユーザインタフェースに入力される予備充填無効化コマンドであって、入力されると、制御デバイスが予備充填選択コマンドの効果を無効化する、予備充填無効化コマンドとを含む、条項１又は条項２に記載の液注入器システム。
【００３３】
条項４．ユーザインタフェースに予備充填開始コマンドが入力される際、制御デバイスが、診断注入プロトコールにしたがって注入される第１の液及び第２の液の少なくとも一方の総量が投与ラインの容量に等しいと判断すると、複数の液容器の１つ以上を作動させ、これにより、診断注入プロトコールの１つ以上の段階にしたがって診断注入プロトコール分の総量を投与ラインに予備充填し、これにより、第２の液による投与ラインのプライミングに用いられた第２の液の量を投与ラインから排出し、診断注入プロトコールにしたがって注入される第１の液及び第２の液の少なくとも一方の総量が投与ラインの容量未満であると判断すると、複数の液容器の１つ以上を作動させ、これにより、診断注入プロトコールの１つ以上の段階にしたがって診断注入プロトコール分の総量を投与ラインに予備充填した後に、投与ラインの容量から診断注入プロトコール分の総量を差し引いたものに等しい第２の液の補充量を予備充填し、これにより、第２の液による投与ラインのプライミングに用いられた第２の液の量を投与ラインから排出し、診断注入プロトコールにしたがって注入される第１の液及び第２の液の少なくとも一方の総量が投与ラインの容量を超えると判断すると、複数の液容器の１つ以上を作動させ、これにより、投与ラインの容量が許容する限り多くの第１の液及び第２の液の少なくとも一方を診断注入プロトコールの１つ以上の段階にしたがって投与ラインに予備充填して、診断注入プロトコールが患者に実行されるまで診断注入プロトコールの残りの部分をプログラム設定に保持し、これにより、第２の液による投与ラインのプライミングに用いられた第２の液の量を投与ラインから排出するように、制御デバイスは、診断注入プロトコールにしたがって注入される第１の液及び第２の液の少なくとも一方の総量を計算するようにさらにプログラム又は構成される、条項１から条項３のいずれか一項に記載の液注入器システム。
【００３４】
条項５．ユーザインタフェースは、診断注入プロトコールの１つ以上の段階にしたがった第１の液及び第２の液の少なくとも一方の投与ラインへの少なくとも部分的な予備充填の状態に関連する情報を表示するように構成される、条項１から条項４のいずれか一項に記載の液注入器システム。
【００３５】
条項６．ユーザインタフェースは、診断注入プロトコールにしたがって注入される第１の液及び第２の液の少なくとも一方の総量と、診断注入プロトコールの１つ以上の段階の各々についての、第１の液及び第２の液の少なくとも一方の特定の量、及び特定の量がその投与中に患者に注入される流量との少なくとも１つを表示するように構成される、条項１から条項５のいずれか一項に記載の液注入器システム。
【００３６】
条項７．液容器のうちの第１の液容器はシリンジを備え、液容器のうちの第２の液容器はシリンジを備える、条項１から条項６のいずれか一項に記載の液注入器システム。
【００３７】
条項８．診断注入プロトコールの１つ以上の段階にしたがった第１の液及び第２の液の少なくとも一方の投与ラインへの少なくとも部分的な予備充填を可能にするコンピュータプログラム製品であって、液注入器システムの制御デバイスへの診断注入プロトコールのプログラム設定を可能にし、制御デバイスは、複数の液容器を選択的に作動させるのに用いられる少なくとも１つの駆動構成要素に操作可能に関連し、複数の液容器を、投与ラインを通じて患者と流体連通する状態に置くことができ、液容器のうちの第１の液容器に造影剤溶液を含む第１の液を充填することができ、液容器のうちの第２の液容器にフラッシング剤を含む第２の液を充填することができ、診断注入プロトコールのプログラム設定と第２の液による投与ラインのプライミングとの完了の際、診断注入プロトコールの１つ以上の段階にしたがった第１の液及び第２の液の少なくとも一方の投与ラインへの少なくとも部分的な予備充填の選択及び開始を可能にすることを、少なくとも１つのプロセッサによって実行されるときに少なくとも１つのプロセッサに行なわせる１つ以上の指示を備える少なくとも１つの非一時的コンピュータ可読媒体を備えるコンピュータプログラム製品。
【００３８】
条項９．１つ以上の指示は、少なくとも１つのプロセッサによって実行されるとき、少なくとも１つのプロセッサに操作可能に関連するユーザインタフェースから液注入器システムの複数の動作の制御に関連する複数のユーザ入力の少なくとも１つを受け付けることを少なくとも１つのプロセッサにさらに行なわせ、複数のユーザ入力の集合は、診断注入プロトコールの１つ以上の段階にしたがった第１の液及び第２の液の少なくとも一方の投与ラインへの少なくとも部分的な予備充填の選択及び開始の可能化に関与する複数の動作の対応する集合の制御に関連する、条項８に記載のコンピュータプログラム製品。
【００３９】
条項１０．複数のユーザ入力の集合は、ユーザインタフェースに入力される予備充填選択コマンドであって、入力されると、投与ラインへの診断注入プロトコール分の少なくとも部分的な予備充填に備えて液注入器システムを制御デバイスが準備する、予備充填選択コマンドと、予備充填選択コマンドの後にユーザインタフェースに入力される予備充填開始コマンドであって、入力されると、制御デバイスが複数の液容器を作動させ、これにより、診断注入プロトコールの１つ以上の段階にしたがった第１の液及び第２の液の少なくとも一方の投与ラインへの少なくとも部分的な予備充填を開始する、予備充填開始コマンドと、予備充填選択コマンドの後にユーザインタフェースに入力される予備充填無効化コマンドであって、入力されると、制御デバイスが予備充填選択コマンドの効果を無効化する、予備充填無効化コマンドとを含む、条項８又は条項９に記載のコンピュータプログラム製品。
【００４０】
条項１１．１つ以上の指示は、少なくとも１つのプロセッサによって実行されるとき、ユーザインタフェースに予備充填開始コマンドが入力される際、少なくとも１つのプロセッサが、診断注入プロトコールにしたがって注入される第１の液及び第２の液の少なくとも一方の総量が投与ラインの容量に等しいと判断すると、複数の液容器の１つ以上を作動させ、これにより、診断注入プロトコールの１つ以上の段階にしたがって診断注入プロトコール分の総量を投与ラインに予備充填し、これにより、第２の液による投与ラインのプライミングに用いられた第２の液の量を投与ラインから排出し、診断注入プロトコールにしたがって注入される第１の液及び第２の液の少なくとも一方の総量が投与ラインの容量未満であると判断すると、複数の液容器の１つ以上を作動させ、これにより、診断注入プロトコールの１つ以上の段階にしたがって診断注入プロトコール分の総量を投与ラインに予備充填した後に、投与ラインの容量から診断注入プロトコール分の総量を差し引いたものに等しい第２の液の補充量を予備充填し、これにより、第２の液による投与ラインのプライミングに用いられた第２の液の量を投与ラインから排出し、診断注入プロトコールにしたがって注入される第１の液及び第２の液の少なくとも一方の総量が投与ラインの容量を超えると判断すると、複数の液容器の１つ以上を作動させ、これにより、投与ラインの容量が許容する限り多くの第１の液及び第２の液の少なくとも一方を診断注入プロトコールの１つ以上の段階にしたがって投与ラインに予備充填して、診断注入プロトコールが患者に実行されるまで診断注入プロトコールの残りの部分をプログラム設定に保持し、これにより、第２の液による投与ラインのプライミングに用いられた第２の液の量を投与ラインから排出するように、診断注入プロトコールにしたがって注入される第１の液及び第２の液の少なくとも一方の総量を計算することを少なくとも１つのプロセッサにさらに行なわせる、条項８から条項１０のいずれか一項に記載のコンピュータプログラム製品。
【００４１】
条項１２．１つ以上の指示は、少なくとも１つのプロセッサによって実行されるとき、診断注入プロトコールの１つ以上の段階にしたがった第１の液及び第２の液の少なくとも一方の投与ラインへの少なくとも部分的な予備充填の状態に関連する情報をユーザインタフェースを介して表示することを少なくとも１つのプロセッサにさらに行なわせる、条項８から条項１１のいずれか一項に記載のコンピュータプログラム製品。
【００４２】
条項１３．１つ以上の指示は、少なくとも１つのプロセッサによって実行されるとき、診断注入プロトコールにしたがって注入される第１の液及び第２の液の少なくとも一方の総量と、診断注入プロトコールの１つ以上の段階の各々についての、第１の液及び第２の液の少なくとも一方の特定の量、及び特定の量がその投与中に患者に注入される流量と、の少なくとも１つをユーザインタフェースを介して表示することを少なくとも１つのプロセッサにさらに行なわせる、条項８から条項１２のいずれか一項に記載のコンピュータプログラム製品。
【００４３】
条項１４．液容器のうちの第１の液容器はシリンジを備え、液容器のうちの第２の液容器はシリンジを備える、条項８から条項１３のいずれか一項に記載のコンピュータプログラム製品。
【００４４】
条項１５．診断注入プロトコールの１つ以上の段階にしたがった第１の液及び第２の液の少なくとも一方の投与ラインへの少なくとも部分的な予備充填を可能にするコンピュータ実施方法であって、液注入器システムの制御デバイスに診断注入プロトコールを少なくとも１つのプロセッサによりプログラム設定するステップであって、制御デバイスは、複数の液容器を選択的に作動させるのに用いられる少なくとも１つの駆動構成要素に操作可能に関連し、複数の液容器を、投与ラインを通じて患者と流体連通する状態に置くことができ、液容器のうちの第１の液容器に造影剤溶液を含む第１の液を充填することができ、液容器のうちの第２の液容器にフラッシング剤を含む第２の液を充填することができる、ステップと、診断注入プロトコールのプログラム設定と第２の液による投与ラインのプライミングとの完了の際、診断注入プロトコールの１つ以上の段階にしたがった第１の液及び第２の液の少なくとも一方の投与ラインへの少なくとも部分的な予備充填の選択及び開始を少なくとも１つのプロセッサにより可能にするステップと、を備えるコンピュータ実施方法。
【００４５】
条項１６．少なくとも１つのプロセッサに操作可能に関連するユーザインタフェースから液注入器システムの複数の動作の制御に関連する複数のユーザ入力の少なくとも１つを受け付けるステップをさらに備え、複数のユーザ入力の集合は、診断注入プロトコールの１つ以上の段階にしたがった第１の液及び第２の液の少なくとも一方の投与ラインへの少なくとも部分的な予備充填の選択及び開始の可能化に関与する複数の動作の対応する集合の制御に関連する、条項１５に記載のコンピュータ実施方法。
【００４６】
条項１７．複数のユーザ入力の集合は、ユーザインタフェースに入力される予備充填選択コマンドであって、入力されると、投与ラインへの診断注入プロトコール分の少なくとも部分的な予備充填に備えて液注入器システムを制御デバイスが準備する、予備充填選択コマンドと、予備充填選択コマンドの後にユーザインタフェースに入力される予備充填開始コマンドであって、入力されると、制御デバイスが複数の液容器を作動させ、これにより、診断注入プロトコールの１つ以上の段階にしたがった第１の液及び第２の液の少なくとも一方の投与ラインへの少なくとも部分的な予備充填を開始する、予備充填開始コマンドと、予備充填選択コマンドの後にユーザインタフェースに入力される予備充填無効化コマンドであって、入力されると、制御デバイスが予備充填選択コマンドの効果を無効化する、予備充填無効化コマンドと、を含む、条項１５又は条項１６に記載のコンピュータ実施方法。
【００４７】
条項１８．ユーザインタフェースに予備充填開始コマンドが入力される際、制御デバイスが、診断注入プロトコールにしたがって注入される第１の液及び第２の液の少なくとも一方の総量が投与ラインの容量に等しいと少なくとも１つのプロセッサにより判断すると、複数の液容器の１つ以上を作動させ、これにより、診断注入プロトコールの１つ以上の段階にしたがって診断注入プロトコール分の総量を投与ラインに予備充填し、これにより、第２の液による投与ラインのプライミングに用いられた第２の液の量を投与ラインから排出し、診断注入プロトコールにしたがって注入される第１の液及び第２の液の少なくとも一方の総量が投与ラインの容量未満であると少なくとも１つのプロセッサにより判断すると、複数の液容器の１つ以上を作動させ、これにより、診断注入プロトコールの１つ以上の段階にしたがって診断注入プロトコール分の総量を投与ラインに予備充填した後に、投与ラインの容量から診断注入プロトコール分の総量を差し引いたものに等しい第２の液の補充量を予備充填し、これにより、第２の液による投与ラインのプライミングに用いられた第２の液の量を投与ラインから排出し、診断注入プロトコールにしたがって注入される第１の液及び第２の液の少なくとも一方の総量が投与ラインの容量を超えると少なくとも１つのプロセッサにより判断すると、複数の液容器の１つ以上を作動させ、これにより、投与ラインの容量が許容する限り多くの第１の液及び第２の液の少なくとも一方を診断注入プロトコールの１つ以上の段階にしたがって投与ラインに予備充填して、診断注入プロトコールが患者に実行されるまで診断注入プロトコールの残りの部分をプログラム設定に保持し、これにより、第２の液による投与ラインのプライミングに用いられた第２の液の量を投与ラインから排出するように、診断注入プロトコールにしたがって注入される第１の液及び第２の液の少なくとも一方の総量を少なくとも１つのプロセッサにより計算するステップをさらに備える条項１５から条項１７のいずれか一項に記載のコンピュータ実施方法。
【００４８】
条項１９．診断注入プロトコールの１つ以上の段階にしたがった第１の液及び第２の液の少なくとも一方の投与ラインへの少なくとも部分的な予備充填の状態に関連する情報をユーザインタフェースにより表示するステップをさらに備える条項１５から条項１８のいずれか一項に記載のコンピュータ実施方法。
【００４９】
条項２０．診断注入プロトコールにしたがって注入される第１の液及び第２の液の少なくとも一方の総量と、診断注入プロトコールの１つ以上の段階の各々についての、第１の液及び第２の液の少なくとも一方の特定の量、及び特定の量がその投与中に患者に注入される流量と、の少なくとも１つをユーザインタフェースにより表示するステップをさらに備える条項１５から条項１９のいずれか一項に記載のコンピュータ実施方法。
【００５０】
条項２１．液容器のうちの第１の液容器はシリンジを備え、液容器のうちの第２の液容器はシリンジを備える、条項１５から条項２０のいずれか一項に記載のコンピュータ実施方法。
【００５１】
液注入器システムのこれらの特徴及び特性並びにその他特徴及び特性、並びにコンピュータプログラム製品、並びに動作方法、並びに構造の関連要素及び部品の組合せの機能、並びに生産性は、添付の図面を参照して以下の説明及び添付の請求項を鑑みればより明らかになる。これらのすべてが本明細書の一部を形成する。ただし、図面は図示及び説明を目的とするにすぎないことははっきりと分かることである。
【図面の簡単な説明】
【００５２】
【図１】一例に係る複数液輸液システムの斜視図である。
【図２】図１の複数液輸液システム中の様々な液経路の概略図である。
【図３Ａ】１回使い捨てセット（ｓｉｎｇｌｅ−ｕｓｅ  ｄｉｓｐｏｓａｂｌｅ  ｓｅｔ（ＳＵＤＳ））コネクタを複数液輸液システムに接続する前の接続部の斜視図である。
【図３Ｂ】ＳＵＤＳコネクタが複数液輸液システムに接続されている様子を示す、図３Ａの接続部の斜視図である。
【図４Ａ】図３Ａ及び図３Ｂに示されているＳＵＤＳコネクタの拡大斜視図である。
【図４Ｂ】図４Ａに示されているＳＵＤＳコネクタの縦断面図である。
【図４Ｃ】複数液輸液システムの口に接続されている図４Ａ〜図４Ｂに示されているＳＵＤＳコネクタの部分断面図である。
【図５】複数液輸液システムの一部と、それに接続されている複数患者使い捨てセット（ｍｕｌｔｉ−ｐａｔｉｅｎｔ  ｄｉｓｐｏｓａｂｌｅ  ｓｅｔ（ＭＵＤＳ））とが破断されている、図４Ｃに示されているＳＵＤＳコネクタの斜視図である。
【図６】別の例に係る複数液輸液システムの電子制御システムの概略図である。
【図７Ａ】一例に係る部分的に予備充填されている１回使い捨てセットコネクタの概略図である。
【図７Ｂ】図７Ａの例に係る完全に予備充填されている１回使い捨てセットコネクタの概略図である。
【図８】別の例に係る完全に予備充填されている１回使い捨てセットコネクタの概略図である。
【図９】一例に係る予備充填動作を示す方法を示すフローチャートである。
【発明を実施するための形態】
【００５３】
以下の説明上、用語「上」、「下」、「右」、「左」、「垂直」、「水平」、「上部」、「下部」、「横」、「縦」及びこれらの派生語は、図面で向きが決められている開示物に関するものとする。複数患者使い捨てセットのシリンジに関して用いられる場合、用語「近位」は、シリンジから輸液するためのピストン要素に最も近いシリンジの部分を指す。１回使い捨てセットコネクタに関して用いられる場合、用語「遠位」は、複数液注入器システムに接続するために１回使い捨てセットコネクタの向きが決められるときにユーザすなわち患者に最も近い１回使い捨てセットコネクタの部分を指す。液注入器システムのシリンジに関して用いられる場合、用語「遠位」は、輸液ノズルに最も近いシリンジの部分を指す。１回使い捨てセットコネクタに関して用いられる場合、用語「近位」は、複数液注入器システムに接続するために１回使い捨てセットコネクタの向きが決められるときに複数液注入器システムに最も近い１回使い捨てセットコネクタの部分を指す。
【００５４】
添付の図面に図示され以下の明細書で説明されている特定のデバイス及びプロセスは本開示の典型的な例にすぎないことも分かる。したがって、本出願で開示されている例に関する特定の寸法及びその他物理的特徴は、限定を課すものとみなされるものではない。
【００５５】
本開示はMEDRAD（登録商標）Centargo CT Injection Systemについて主に説明されているが、付属の使い捨て器具（たとえば、シリンジ、管類など）を含む様々な注入システムに本発明を適用することができることは当業者であれば明らかである。このような注入システムの例には、Bayer HealthCare LLCによって提供されているMEDRAD（登録商標）Stellant CT Injection System、MEDRAD（登録商標）Stellant FLEX CT Injection System、MEDRAD（登録商標）MRXperion MR Injection System及びMEDRAD（登録商標）Mark 7  Arterion Injection Systemが含まれる。
【００５６】
同様の参照符号が同様の部分をそのいくつかの図にわたって指し示す図面を参照して、大まかに言えば、本開示は、１回使い捨てセット（ＳＵＤＳ）１９０コネクタを用いて患者に輸液するように構成されている複数患者使い捨てセット（ＭＵＤＳ）１３０を有する複数液医療用注入器／注入システム１００（以下「液注入器システム１００」）を対象とする。液注入器システム１００は、本出願で個々に説明されている複数の構成要素を含む。大まかに言えば、液注入器システム１００は、動力付注入器又はその他投与デバイスと、本出願で説明されているように、１以上の液を１つ以上の複数投与分容器から加圧状態で患者に輸液するように注入器と協働することを意図している輸液セットとを有する。液注入器システム１００とこれに付属する輸液セットとの、様々なデバイス、構成要素及び特徴が本出願で同様に詳細に説明されている。
【００５７】
図１を参照して、液注入器システム１００は、両側側面１０４、先端すなわち上端１０６及び基端すなわち下端１０８を有する注入器ハウジング１０２を含む。いくつかの例では、ハウジング１０２は、床面上でハウジング１０２を回転及び移動可能に支持するための１つ以上の車輪１１２を有する基部１１０上で支持されてもよい。１つ以上の車輪１１２は、所望の位置に配置された後に、ハウジング１０２が意図せず動くのを防止するようにロック可能であってもよい。液注入器システム１００を動かして配置するのを容易にするために少なくとも１つのハンドル１１４を設けてもよい。他の例では、ハウジング１０２を床、天井、壁又はその他構造などの不動面に取り外し可能に固定したり取り外し不能に固定したりしてもよい。ハウジング１０２は、本出願で説明されている液注入器システム１００に付属する往復移動可能なピストン要素１０３（図２に示されている）の動作を制御するのに用いられる、様々な機械的駆動構成要素と、機械的駆動構成要素を駆動するのに必要な電気的動力構成要素と、電子メモリ及び電子制御デバイス類（以下、１つまたは複数の電子制御デバイス）などの制御構成要素とを格納する。このようなピストン要素１０３は、モータ、ボイスコイルアクチュエータ、ラック・アンド・ピニオン・ギア・ドライブ、リニアモータなどによって駆動されるボールねじシャフトなどの電気機械的駆動構成要素を介して往復動作可能であってもよい。いくつかの例では、機械的駆動構成要素、電気的動力構成要素及び制御構成要素のうちの少なくともいくつかを基部１１０に設けてもよい。
【００５８】
図１を引き続き参照して、液注入器システム１００は、ＭＵＤＳ、機械的駆動構成要素、電気的動力構成要素及び制御構成要素のうちの少なくともいくつかを格納する少なくとも１つの扉１１６を有する。扉１１６は開放位置と閉鎖位置（図１に示されている）との間で移動可能であることが望ましい。いくつかの例では、扉１１６はロック可能であってもよい。
【００５９】
液注入器システム１００は、少なくとも１つのバルク液源１２０との接続のための少なくとも１つのバルク液コネクタ１１８をさらに含む。いくつかの例では、複数のバルク液コネクタ１１８を設けてもよい。たとえば、図１に示されているように、３つのバルク液コネクタ１１８を横並び配置又はその他配置で設けてもよい。いくつかの例では、少なくとも１つのバルク液コネクタ１１８は、バイアル、ボトルやバッグなどの少なくとも１つのバルク液源１２０に取り外し可能に接続するように構成されているスパイクであってもよい。少なくとも１つのバルク液コネクタ１１８は、新しいバルク液源１２０それぞれとの、再利用可能であったり再利用不能であったりする接続部を有してもよい。少なくとも１つのバルク液コネクタ１１８を、本例で説明されているように複数患者使い捨てセット上に形成してもよい。少なくとも１つのバルク液源１２０を、液注入器システム１００に供給される生理食塩水、造影剤溶液又はその他医療用液などの医療用液を入れるように構成してもよい。ハウジング１０２は、少なくとも１つのバルク液源１２０が液注入器システム１００に接続された後にそのバルク液源１２０を支持する少なくとも１つの支持部材１２２を有してもよい。
【００６０】
図１を引き続き参照して、液注入器システム１００は、グラフィカルユーザインタフェース（ＧＵＩ）ディスプレイウインドウなどの１つ以上のユーザインタフェース１２４を含む。ユーザインタフェース１２４は、現在の流量、液圧、及び液注入器システム１００に接続された少なくとも１つのバルク液源１２０に残っている量などの液注入器システム１００に関与する液注入手順に関係する情報を表示してもよく、ユーザインタフェース１２４は、操作者が液注入器システム１００の動作のためのコマンド及び／又はデータを入力することを可能にするタッチ画面ＧＵＩであってもよい。ユーザインタフェース１２４が注入器ハウジング１０２上にある様子が示されているが、このようなユーザインタフェース１２４については、ハウジング１０２並びに液注入器システム１００の制御及び機械的要素まで配線して接続されたり無線接続されたりする遠隔ディスプレイの形態もとってもよい。いくつかの例では、ユーザインタフェース１２４は、ハウジング１０２に着脱可能に接続され、ハウジング１０２並びに液注入器システム１００の制御及び機械的要素と有線通信したり無線接続通信したりするタブレットコンピュータであってもよい。これに加えて、液注入器システム１００及び／又はユーザインタフェース１２４は、液注入器システム１００の専従操作者による触覚操作用の少なくとも１つの制御ボタン１２６を含んでもよい。特定の例では、少なくとも１つの制御ボタン１２６は、操作者によってコマンド及び／又はデータを入力するためのキーボードの一部であってもよい。少なくとも１つの制御ボタン１２６は、液注入器システム１００に付属する１つまたは複数の電子制御デバイスに有線接続され、１つまたは複数の電子制御デバイスに対する直接入力を実現するものであってもよい。少なくとも１つの制御ボタン１２６は、タッチ画面など、ユーザインタフェース１２４のグラフィック部分でもあってもよい。いずれの構成においても、少なくとも１つの制御ボタン１２６により、液注入器システム１００の専従操作者に対して、（１）複数患者使い捨てセットに充填されているのか充填されていないのかの確認、（２）複数患者使い捨てセットのロック／解放、（３）液注入器システム１００の充填／排除、（４）患者及び／又は注入手順に関する情報及び／又はデータの入力、（５）液注入器システム１００の予備充填、並びに（６）注入手順の開始／停止など（これらに限定されない）のいくつかの個別の制御特徴を提供することが望ましい。液注入器システム１００に付属するユーザインタフェース１２４及び／又は任意の電子処理ユニットを、病院ネットワークシステムなどの、運用及び／又はデータの記憶システムに有線接続したり無線接続したりしてもよい。
【００６１】
図２を参照して、液注入器システム１００は、液注入器システム１００に取り外し可能に接続され、１つ以上のバルク液源１２０から患者に１以上の液を輸液するＭＵＤＳ１３０を含む。ＭＵＤＳの例及び特徴が、名称が「複数回使用使い捨てセットを有する複数液輸液システム及びその特徴」であり、出願日が２０１６年１月７日である国際公開第２０１６／１１２１６３号にさらに記載されている。本国際公開の開示の全体が参照により本明細書に援用される。ＭＵＤＳ１３０は１つ以上のシリンジすなわちポンプ１３２を含んでもよい。いくつかの例では、シリンジ１３２の個数はバルク液源１２０の個数に対応してもよい。たとえば、図２を参照して、ＭＵＤＳ１３０は、各シリンジ１３２がバルク液源１２０の１つ以上に流体接続可能なような横並び配置の３つのシリンジ１３２を有する。いくつかの例では、１つ又は２つのバルク液源１２０をＭＵＤＳ１３０の、１つ以上のシリンジ１３２に接続してもよい。各シリンジ１３２はバルク液源１２０のうちの１つに、対応するバルク液コネクタ１１８と、関連するＭＵＤＳ液経路１３４とによって流体接続可能であってもよい。ＭＵＤＳ液経路１３４は、バルク液コネクタ１１８に接続されるスパイク要素を有してもよい。いくつかの例では、バルク液コネクタ１１８をＭＵＤＳ１３０に直接設けてもよい。
【００６２】
図２をさらに参照して、ＭＵＤＳ１３０は液注入器システム１００のハウジング１０２に取り外し可能に接続可能である。当業者によって理解されるであろうが、液接続が液注入器システム１００に対して確立されているかを視認するのを容易にするために、ＭＵＤＳ１３０の少なくとも一部を透明な医療グレードプラスチックから構成することが望ましい場合がある。視認は、様々な液接続部内に一切気泡が存在しないことを確認することにも望ましい。又は、ＭＵＤＳ１３０及び／又は扉１１６の少なくとも一部は、様々な構成要素間の接続の視覚化のために窓（図示せず）を含んでもよい。様々な光学センサ（図示略）を設けて接続を検出して確認することも行なってもよい。これに加えて、発光ダイオード（ＬＥＤ）などの様々な照明要素（図示略）を設けて、１つ以上の光学センサを作動させ、様々な構成要素間に適切な接続が確立されていることを示してもよい。
【００６３】
図２を特に参照して、液注入器システム１００の様々な液経路の概略図が示されている。ＭＵＤＳ１３０は、どの医療用液又は医療用液のどの組み合せが複数投与分バルク液源１２０から吸引されかつ／又は各シリンジ１３２によって患者に輸液されるかを制御するコックバルブなどの１つ以上のバルブ１３６を含んでもよい。いくつかの例では、１つ以上のバルブ１３６を複数のシリンジ１３２の遠位端やマニホールド１４８に設けてもよい。マニホールド１４８は、バルブ１３６及び／又はシリンジ１３２を介して、各シリンジ１３２を対応するバルク液源１２０に接続するＭＵＤＳ液経路１３４の第１の端と流体連通してもよい。ＭＵＤＳ液経路１３４の反対側の第２の端を、バルク液源１２０に流体接続されるように構成されているそれぞれのバルク液コネクタ１１８に接続してもよい。１つ以上のバルブ１３６の状態に応じて、液を１つ以上のシリンジ１３２に吸引したり１つ以上のシリンジ１３２から輸液したりすることができる。第１の状態では、シリンジ１３２の充填の際などに、液がバルク液源１２０から所望のシリンジ１３２にＭＵＤＳ液経路などの液流入ライン１５０を流れるように１つ以上のバルブ１３６の向きを設定する。充填手順では、１つ以上の液流出ライン１５２又はマニホールド１４８を通る液の流れが遮断されるように、１つ以上のバルブ１３６の状態を設定する。第２の状態では、輸液手順中などに、液が１つ以上のシリンジ１３２から１つ以上の液流出ライン１５２又はシリンジバルブ流出口を通ってマニホールド１４８に届けられる。輸液手順では、１つ以上の液流入ライン１５０を通る液の流れが遮断されるように、１つ以上のバルブ１３６の状態を設定する。１つ以上のバルブ１３６、液流入ライン１５０及び／又は液流出ライン１５２をマニホールド１４８に一体化してもよい。１つ以上のバルブ１３６を手動又は自動処理によって選択的に第１の状態か第２の状態かにしてもよい。たとえば、操作者は充填又は輸液のために１つ以上のバルブ１３６を所望の状態にすることができる。他の例では、液注入器システム１００の少なくとも一部は、本出願で説明されているように、操作者による入力に基づいて充填又は輸液のために１つ以上のバルブ１３６を自動的に所望の状態にするように動作可能である。
【００６４】
図２を引き続き参照して、いくつかの例では、液流出ライン１５２を液注入器システム１００の廃液溜め１５６に接続することもしてもよい。廃液溜め１５６は汚染を防止するためにシリンジ１３２とは隔離されていることが望ましい。いくつかの例では、廃液溜め１５６は、たとえば、フラッシングやプライミングや予備充填動作の際にシリンジ１３２から吐出される廃液を受けるように構成されている。廃液溜め１５６は廃液溜め１５６の内容物を処分するためにハウジング１０２から取り出し可能であってもよい。他の例では、廃液溜め１５６は、ハウジング１０２から廃液溜め１５６を取り出すことなく廃液溜め１５６から内容物を出して空にするための排液口（図示略）を有してもよい。いくつかの例では、廃液溜め１５６はＭＵＤＳ１３０とは別体の構成要素として設けられる。
【００６５】
液注入器システム１００及びＭＵＤＳ１３０の構成要素を概略的に説明してきたが、以下、１回使い捨てセット（ＳＵＤＳ）１９０の構成及び使用方法と、ＭＵＤＳ１３０とのＳＵＤＳ１９０の関係とを説明する。
【００６６】
図３Ａ及び図３Ｂを参照して、液注入器システム１００は、ＳＵＤＳ１９０の少なくとも一部との解放可能な液接続部を形成するように構成されている接続口１９２を有する。いくつかの例では、接続口１９２をＭＵＤＳ１３０に形成してもよい。接続口１９２を液注入器システム１００のハウジング１０２の少なくとも一部によって覆ってもよい。たとえば、ハウジング１０２の内部に接続口１９２の窪みを設けることで、患者に注入される液に接触する接続口１９２の部分にユーザや患者が触れて汚染することを防止したり制限したりすることによって接続口１９２の滅菌状態を保つことができる。いくつかの例では、液注入器システム１００のハウジング１０２に形成された開口１９４内に接続口１９２の窪みを設けたり、接続口１９２が接続口１９２の少なくとも一部を囲むシールド構造（図示略）を持ったりしてもよい。他の例では、接続口１９２をハウジング１０２に直接形成して液経路（図示略）によってＭＵＤＳ１３０に接続してもよい。本例で説明されているように、ＭＵＤＳ１３０の少なくとも一部及び／又はハウジング１０２に形成された接続口１９２にＳＵＤＳ１９０を接続してもよい。望ましくは、ＳＵＤＳ１９０と接続口１９２との間の接続は、ＳＵＤＳ１９０を接続口１９２から外すこと（図３Ａ）と、接続口１９２に接続すること（図３Ｂ）とを選択的に行なうことができる解放可能な接続である。いくつかの例では、ＳＵＤＳ１９０を接続口１９２から外して各輸液手順の後に処分して、以降の輸液手順のために新しいＳＵＤＳ１９０を接続口１９２に接続してもよい。
【００６７】
図３Ａ及び図３Ｂを引き続き参照して、接続口１９２とは別に廃液流入口１９６を設けてもよい。廃液流入口１９６は廃液溜め１５６と流体連通する。いくつかの例では、廃液流入口１９６から液を廃液溜め１５６に届けることができるように、廃液溜め１５６をＳＵＤＳ１９０とは別に設ける。たとえば、ＳＵＤＳ１９０から空気を排出するプライミング動作の際に廃液を廃液溜め１５６に導くためにＳＵＤＳ１９０の少なくとも一部を廃液流入口１９６に解放可能に接続したりＳＵＤＳ１９０の少なくとも一部が廃液流入口１９６と協働したりしてもよい。廃液溜め１５６は、廃液溜め１５６の満杯レベルを示す目盛りのマーキングなどのしるし２００付きの目視窓１９８を有してもよい。
【００６８】
図４Ａを参照して、ＳＵＤＳ１９０は、接続口１９２（図３Ａに示されている）に解放可能に接続するように構成されている液流入口２０２を有する。液流入口２０２は液注入器システム１００から届けられる液を受ける。液流入口２０２は図４Ｂに示されているような中空管状構造であることが望ましい。ＳＵＤＳ１９０は、廃液流入口１９６（図３Ａに示されている）に解放可能に接続したり協働したりするように構成された廃液流出口２０４をさらに有する。廃液流出口２０４は廃液を受け、このような廃液をたとえば、ＳＵＤＳ１９０のプライミング動作やフラッシング動作の際に廃液溜め１５６に届ける。廃液流出口２０４は、図４Ｂに示されているような中空管状構造であることが望ましい。廃液が廃液流入口１９６を流れて廃液溜め１５６内まで途切れずに流れるように、廃液流出口２０４を廃液流入口１９６内に接続したり挿入したり配置したりしてもよい。液流入口２０２と廃液流出口２０４とがスペーサ２０６によって互いに離間してもよい。いくつかの例では、それぞれ、接続口１９２及び廃液流入口１９６に対して位置決めするように、液流入口２０２及び廃液流出口２０４を配置するようにスペーサ２０６の寸法を決める。なお、ＳＵＤＳ１９０は包装（図示略）から取り出した後の状態で図４Ａに示されている。使用前、空気を媒介する汚染や表面を媒介する汚染からＳＵＤＳ１９０を保護する予め滅菌した密封包装でＳＵＤＳ１９０を包装することが望ましい。これの代わりに、密封包装及びＳＵＤＳ１９０を包装後に滅菌してもよい。
【００６９】
ユーザがＳＵＤＳ１９０をＭＵＤＳ１３０に唯一の向きでしか取り付けることができないように、ＳＵＤＳ１９０は非対称の構造を持つことが望ましい。このようにして、ユーザが液流入口２０２を廃液流入口１９６に取り付けることが防止される。いくつかの例では、ＳＵＤＳ１９０の少なくとも一部にフィン２０７を設けて、ＳＵＤＳ１９０を接続口１９２に誤って挿入することを防止してもよい。いくつかの例では、フィン２０７をスペーサ２０６の廃液流出口２０４の近傍に形成してもよい。このようにして、フィン２０７によりＳＵＤＳ１９０の接続口１９２への不適切な挿入を妨げることができる。ＳＵＤＳ１９０の接続口１９２への不適切な挿入を防止するのに、フィン２０７以外の構造及び形状を用いてもよい。
【００７０】
いくつかの例では、液流入口２０２にチューブ２０８（投与ラインとも称する）の近位端２１０を接続してもよい。チューブ２０８は、液流入口２０２から受けた液を輸液するように構成されている。チューブ２０８の遠位端２１２はコネクタ２１４を有してもよく、コネクタ２１４は、廃液流出口２０４や、患者（図示略）に接続される液経路と接続されるように構成される一方向チェックバルブを含んでもよい。チューブ２０８は、チューブ２０８をコイル状に巻くことを可能にする医療グレードプラスチック材料などの可撓性材料製であってもよい。コネクタ２１４は、ルアーロックコネクタ（所望の用途に応じたオスルアーロックコネクタ又はメスルアーロックコネクタ）又はその他医療用コネクタ構成であってもよい。いくつかの例では、コネクタ２１４は、液の逆流を防止する図４Ｃに示されているような内蔵の少なくとも１つの一方向チェックバルブ２８０を含んでもよい。これの代わりに、一方向チェックバルブを液流入口２０２とコネクタ２１４との間のＳＵＤＳ１９０の他の箇所に配置してもよい。
【００７１】
図４Ａを引き続き参照して、ＳＵＤＳ１９０は係止タブ２１６を有してもよく、係止タブ２１６は、係止タブ２１６が液注入器システム１００の少なくとも一部に係合するのに応じて、ＳＵＤＳ１９０を液注入器システム１００に選択的に係止するように構成されている。いくつかの例では、係止タブ２１６は、係止タブ２１６の少なくとも一部を撓ませることによって係合位置と解除位置との間で撓むことができる可撓性のタブであってもよい。係止タブ２１６は、押下時に、ＳＵＤＳ１９０の挿入と、液注入器システム１００からの取り外しとのために、係止タブ２１６を係合位置から解除位置に撓ませる押下面２１８を有してもよい。いくつかの例では、係止タブ２１６を、ＭＵＤＳ１３０の受入れスロット２１７（図４Ｃに示されている）に解放可能に係止されるように構成してもよい。
【００７２】
図４Ｂを参照して、ＳＵＤＳ１９０は、液流入口２０２の近位端２２６の周囲で周方向に延びる第１の環状スカート２２４と、液流入口２０２の遠位端２２２の周囲で周方向に延びる第２の環状スカート２２０と、を有してもよい。第１及び第２の環状スカート２２４，２２０は、液流入口２０２を取り囲み、意図せずに接触し汚染するのを防止する。第１の環状スカート２２４は、その側壁を貫通して延びる１つ以上の凹所２２８（図４Ａに示されている）を有してもよい。１つ以上の凹所２２８により、液注入器システム１００の対応する係止要素（図示略）との係止接続部を実現してもよい。第２の環状スカート２２０は、ＳＵＤＳ１９０をつかんで取り扱うのを容易にするために少なくとも１つの陥凹部２３０（図４Ａに示されている）を有してもよい。いくつかの例では、第２の環状スカート２２０は、ＳＵＤＳ１９０を握って取り扱うのを容易にするために１つ以上のリブを有する凹凸面を有してもよい。
【００７３】
図４Ｂを引き続き参照して、液流入口２０２の近位端２２６の周囲に少なくとも１つの環状シール２３４を設けてもよい。少なくとも１つの環状シール２３４は液流入口２０２を封止して、液がＳＵＤＳ１９０を通じて漏れるのを防止してもよい。少なくとも１つの環状シール２３４により、ＳＵＤＳ１９０とＭＵＤＳ１３０とが互いに流体接続されるときに、ＳＵＤＳ１９０とＭＵＤＳ１３０との間に液シールを実現して、液を漏らさずにＭＵＤＳ１３０からＳＵＤＳ１９０に流すことができる。液流入口２０２の管内空間に一方向チェックバルブ２３６を設けて、液がＳＵＤＳ１９０からＭＵＤＳ１３０に逆方向に流れるのを防止してもよい。
【００７４】
図４Ｃを参照して、図４Ａに示されているＳＵＤＳ１９０が液注入器システム１００に接続されている様子が示されている。図４ＣはＭＵＤＳ１３０に形成された接続口１９２を示しているが、他の例では、接続口１９２をハウジング１０２（図１に示されている）の一部に形成してもよい。図４Ｃに示されている矢印Ｆの方向の液経路を確立するように、ＳＵＤＳ１９０の液流入口２０２が接続口１９２に接続される。液流入口２０２を通過した液は、一方向バルブ２３６を通ってチューブ２０８内まで流れる。液流入口２０２と接続口１９２との間の接続部から滴下し得る一切の液が廃液溜め１５６で収拾される。ＳＵＤＳ１９０がＭＵＤＳ１３０から取り外されるときにＳＵＤＳ１９０から滴下し得る一切の液を収拾するように廃液溜め１５６を成形してもよい。これに加えて、ＳＵＤＳ１９０が接続口１９２に接続されているときに、チューブ２０８から廃液が廃液溜め１５６に放出されるように廃液流出口２０４の出口が廃液流入口１９６内に配置される。スペーサ２０６により、ＳＵＤＳ１９０を接続口１９２に挿入する深さを決める挿入ストッパ面を形成してもよい。
【００７５】
図５を参照して、液注入器システム１００は、ＳＵＤＳ１９０がＭＵＤＳ１３０と流体連通する時点を識別するように構成されているセンサシステム２３８を有してもよい。センサシステム２３８は、ＳＵＤＳ１９０にあるセンサフィン２４０などの少なくとも１つの感知要素と、液注入器システム１００又はＭＵＤＳ１３０にある対応するセンサ２４２と、を含んでもよい。少なくとも１つのセンサフィン２４０又はその他感知要素の有無を検知するように、センサ２４２を構成してもよい。いくつかの例では、少なくとも１つのセンサフィン２４０などの感知要素を、図４Ａに示されているようなＳＵＤＳ１９０の係止タブ２１６に形成する。他の例では、少なくとも１つのセンサフィン２４０などの感知要素を、ＳＵＤＳ１９０のどの部分に形成してもよい。センサ２４２は、液注入器システム１００のハウジング１０２に形成されたそれぞれのマウント内に設置して固定した光学センサであってもよい。動力付医療用液注入器の分野の当業者であれば理解されるが、センサ２４２からの入力に少なくとも部分的に基づいて、１つ以上のピストン要素の動作などの液注入器システムの動作を個別に制御するのに用いられる電子制御デバイスにセンサ２４２を電子的に接続してもよい。センサフィン２４０などの感知要素は、センサ２４２によって検出される可視光や赤外光を反射する１つ以上の反射面を有してもよい。他の例では、感知要素とセンサ２４２との間の機械的相互作用を用いてもよい。
【００７６】
いくつかの例では、ＳＵＤＳ１９０は再利用防止特徴をさらに含んでもよい。たとえば、ＳＵＤＳ１９０は、１つ以上の破壊が容易なセンサ要素、タブや、ＳＵＤＳ１９０がＭＵＤＳ１３０から取り外されるときに折れたり壊れたりする構造を含んでもよい。これらの特徴が欠落することで、取り外した後のＳＵＤＳ１９０の再挿入と再利用を防止してもよい。このようにして、ＳＵＤＳ１９０が１回の輸液手順のみに用いられることを保証することができる。
【００７７】
ＳＵＤＳ１９０の他の例及び特徴が、出願日が２０１６年７月７日であり、名称が「使い捨てセットコネクタ」である特許文献１に記載されている。本出願公開の開示の全体が参照により本明細書に援用される。
【００７８】
液注入器システム１００の構成要素、ＭＵＤＳ１３０及びＳＵＤＳ１９０を概略的に説明してきたが、以下、ＳＵＤＳ１９０の使用の運用方法を詳細に説明する。使用時、医療技師すなわちユーザが使い捨てＳＵＤＳ１９０を包装（図示略）から取り出し、液流入口２０２をＭＵＤＳ１３０の接続口１９２に挿入する。上記のように、液流入口２０２が接続口１９２に接続されるように位置決めされ、廃液流出口２０４が廃液流入口１９６に接続されるように位置決めされるような正しい向きにＳＵＤＳ１９０を挿入しなければならない。係止タブ２１６をＭＵＤＳ１３０の受入れスロット２１７に挿入することによって、ＳＵＤＳ１９０をＭＵＤＳ１３０に固定してもよい。ＳＵＤＳ１９０をＭＵＤＳ１３０に固定接続した後、たとえば、センサ２４２によって感知されると、液注入器システム１００（図１に示されている）がＭＵＤＳ１３０の複数のシリンジ１３２のうちの１つ以上に液を吸引し、ＭＵＤＳ１３０及びＳＵＤＳ１９０から空気を除去するために自動プライミング動作や自動フラッシング動作を実行する。このようなプライミング動作やフラッシング動作中、ＭＵＤＳ１３０から液が接続口１９２を通ってＳＵＤＳ１９０のチューブ２０８に注入される。液は、チューブ２０８、コネクタ２１４及び廃液流出口２０４を流れ、廃液溜め１５６まで流れる。自動プライミング動作や自動フラッシング動作が完了した後、ＭＵＤＳ１３０から接続口１９２を通じて液を注入することによってチューブ２０８に適宜予備充填してもよい。予備充填動作のさらなる詳細はより詳細に後述される。自動プライミング動作や自動フラッシング動作が完了し、適宜予備充填動作が完了した後、医療技師がコネクタ２１４を廃液流出口２０４から外す。その後、カテーテル、バスキュラアクセスデバイス、針、又は患者に対する輸液を容易にする付加的な液経路セットを介して、コネクタ２１４を患者に接続してもよい。輸液が完了した後、ＳＵＤＳ１９０を患者から外して、ＳＵＤＳ１９０の係止タブ２１６をＭＵＤＳ１３０の受入れスロット２１７から外すことによって、ＳＵＤＳ１９０をＭＵＤＳ１３０から外す。その後、医療技師はＳＵＤＳ１９０を処分してもよい。いくつかの例では、ＳＵＤＳ１９０をＭＵＤＳ１３０から取り外すことで再利用防止特徴（図示略）を機能させることによって、ＳＵＤＳ１９０の再挿入及び再利用が防止される。
【００７９】
図６を参照して、電子制御デバイス９００を液注入器システム１００に付属させて充填及び輸液動作を制御してもよい。いくつかの例では、電子制御デバイス９００は、様々なバルブ、ピストン部材、及び所望の充填手順や輸液手順を実現するためのその他要素の動作を制御してもよい。たとえば、電子制御デバイス９００は様々な別個のコンピュータ可読媒体構成要素を含んでもよい。たとえば、このコンピュータ可読媒体は、揮発媒体、不揮発媒体、リムーバブル媒体、非リムーバブル媒体、一時的媒体、非一時的媒体などの電子制御デバイス９００によってアクセス可能な任意の媒体を含んでもよい。さらなる例として、このコンピュータ可読媒体は、コンピュータ可読指示、データ構造、プログラムモジュール若しくはその他データなどの情報の記憶のための任意の方法や技術で実施される媒体、ランダムアクセスメモリ（ＲＡＭ）、読出し専用メモリ（ＲＯＭ）、電気的消去可能プログラマブル読出し専用メモリ（ＥＥＰＲＯＭ）、フラッシュメモリ若しくはその他メモリ技術、ＣＤ−ＲＯＭ、デジタル多用途ディスク（ＤＶＤ）若しくはその他光ディスクストレージ、磁気カセット、磁気テープ、磁気ディスクストレージ若しくはその他磁気記憶デバイス又は所望の情報を記憶するのに用いることができ、電子制御デバイス９００によってアクセス可能なその他一切の媒体などのコンピュータ記憶媒体を含んでもよい。さらに、このコンピュータ可読媒体は、コンピュータ可読指示、データ構造、プログラムモジュール又は搬送波若しくはその他搬送機構などの変調データ信号内のその他データなどの通信媒体を含んでもよく、また、任意の情報配信媒体、有線媒体（有線ネットワーク及び直接有線接続など）並びに無線媒体（音響信号、高周波信号、光信号、赤外線信号、バイオメトリック信号、バーコード信号など）を含んでもよい。当然、上記のいずれの組み合せもコンピュータ可読媒体の範囲内に含まれる。
【００８０】
電子制御デバイス９００は、ＲＯＭ及びＲＡＭなどの揮発及び不揮発メモリの形態のコンピュータ記憶媒体を有するシステムメモリ９０８をさらに含む。適切なコンピュータベースのルーチンを有するベーシックインプット／アウトプットシステム（ＢＩＯＳ）は、電子制御デバイス９００中の構成要素間の情報の伝達を補助し、通常ＲＯＭに記憶される。システムメモリ９０８のＲＡＭ部分は、典型的には、プロセッサ９０４によって、たとえば、オペレーティングシステム、アプリケーションプログラミングインタフェース、アプリケーションプログラム、プログラムモジュール、プログラムデータ及びその他指示ベースのコンピュータ可読コードに直ちにアクセス可能であったりこれらにおいて現在動作中であったりするデータ及びプログラムモジュールを含む。
【００８１】
図６を引き続き参照して、電子制御デバイス９００は、他のリムーバブル又は非リムーバブル、揮発又は不揮発、一時的又は非一時的コンピュータ記憶媒体製品も含んでもよい。たとえば、電子制御デバイス９００は、ハードディスクドライブ９１２、たとえば非リムーバブル不揮発磁気媒体と通信して制御する非リムーバブルメモリインタフェース９１０と、磁気ディスクドライブユニット９１６（リムーバブル不揮発磁気ディスク９１８に対して読出し及び書込みを行なう）、光ディスクドライブユニット９２０（ＣＤ−ＲＯＭなどのリムーバブル不揮発光ディスク９２２に対して読出し及び書込みを行なう）、リムーバブルメモリカードなどと、の接続に用いられるユニバーサルシリアルバス（ＵＳＢ）ポート９２１と通信して制御するリムーバブル不揮発メモリインタフェース９１４とを含んでもよい。ただし、磁気テープカセット、ＤＶＤ、デジタルビデオテープ、ソリッドステートＲＡＭ、ソリッドステートＲＯＭなどを含む（ただし、これらに限定されない）、他のリムーバブル又は非リムーバブルの揮発又は不揮発コンピュータ記憶媒体を典型的なコンピューティングシステム環境９０２で用いることができることが考えられる。これらの様々なリムーバブル又は非リムーバブルの揮発又は不揮発磁気媒体はシステムバス９０６を介して電子制御デバイス９００のプロセッサ９０４及びその他構成要素と通信する。上記で説明され図６に図示されているドライブ及びこれらの関連コンピュータ記憶媒体により、電子制御デバイス９００用のオペレーティングシステム、コンピュータ可読指示、アプリケーションプログラム、データ構造、プログラムモジュール、プログラムデータ及びその他指示ベースのコンピュータ可読コードの記憶部が実現される（システムメモリ９０８中のこの情報及びデータの複製であるか否かにかかわらない）。
【００８２】
ユーザ入力インタフェース９２８を介して、図１に示されているユーザインタフェース１２４などの取付け可能であったり操作可能であったりするなんらかの入力デバイスを通じて、電子制御デバイス９００にコマンド、情報及びデータをユーザが入力してもよい。このような様々な入力デバイス、たとえば、マイク、トラックボール、ジョイスティック、タッチパッド、タッチ画面、スキャナなど（外部ソースから電子制御デバイス９００にデータ及び情報の入力を容易にする任意の構成を含む）を利用してもよい。説明されているように、これらの入力デバイス及びその他入力デバイスは、システムバス９０６に接続されたユーザ入力インタフェース９２８を通じてプロセッサ９０４に接続されることが多いが、パラレルポート、ゲームポートやＵＳＢなどの他のインタフェース及びバス構造によって接続されてもよい。またさらに、データ及び情報を、モニタ９３０（この情報及びデータを電子的形態で視覚的に表示する）、プリンタ９３２（この情報及びデータをプリント形態で物理的に表示する）、スピーカ９３４（この情報及びデータを聞くことが可能な形態で聞くことが可能なように提示する）などのなんらかの出力デバイスを通じて、認識が容易な形態やフォーマットでユーザに提示したり提供したりすることができる。これらのデバイスのすべては、システムバス９０６に接続された出力インタフェース９３６を通じて電子制御デバイス９００と通信する。情報及びデータをユーザに提供するのにこのような周辺出力デバイスが用いられることが想定される。
【００８３】
電子制御デバイス９００は、通信デバイス９４０を用いることによりネットワーク環境９３８で動作してもよく、通信デバイス９４０は、電子制御デバイス９００に組み込まれたり電子制御デバイス９００から離されていたりする。この通信デバイス９４０は、通信インタフェース９４２を通じて電子制御デバイス９００の他の構成要素によって操作可能であり、他の構成要素と通信する。このような構成を用いて、電子制御デバイス９００は、リモートコンピュータ９４４などの１つ以上のリモートコンピュータに接続されたり、又は別の仕方でこれと通信したりしてもよい。１つ以上のリモートコンピュータは、パーソナルコンピュータ、サーバ、ルータ、ネットワークパーソナルコンピュータ、ピアデバイス又はその他一般的なネットワークノードであってもよく、典型的には電子制御デバイス９００に関して上述されている構成要素の多く又は全部を含む。たとえば、モデム、ネットワークインタフェースやアダプタなどの適切な通信デバイス９４０を用いて、コンピュータ９４４は、ローカルエリアネットワーク（ＬＡＮ）及びワイドエリアネットワーク（ＷＡＮ）内で動作してこれらを通じて通信してもよく、一方で、仮想プライベートネットワーク（ＶＰＮ）、オフィスネットワーク、社内ネットワーク、イントラネット、インターネットなどの他のネットワークも含んでもよい。
【００８４】
ここで用いられているように、電子制御デバイス９００は、本開示の方法及びシステムの処理ステップを実行及び実施する、適切なカスタム設計ソフトウェアや従来のソフトウェアを含んだり実行するように動作可能であったりし、これにより、専用の特化したコンピューティングシステムを形成する。したがって、方法及びシステムは、本開示に関連して後述されている方法、プロセス及び変換データ操作の実行や構成やその他実施をプロセッサ９０４に行なわせるコンピュータ可読プログラムコードや指示を記憶することができるコンピュータ可読記憶媒体を有する、１つ以上の電子制御デバイス９００や同様のコンピューティングデバイスを含んでもよい。またさらに、電子制御デバイス９００は、パーソナルコンピュータ、パーソナルデジタルアシスタント、ポータブルコンピュータ、ラップトップ、パームトップ、モバイルデバイス、携帯電話器、サーバ、又は本開示の液注入器システム、コンピュータプログラム製品及びコンピュータ実施方法を効果的に実施するように、適切にデータを処理するのに必要な処理ハードウェアを有するその他一切のタイプのコンピューティングデバイスの形態であってもよい。
【００８５】
１つ以上のコンピュータ上に物理的に位置するデータベースをシステムが利用してもよく、当該１つ以上のコンピュータがデータベースのサーバとそれぞれ同じであってもなくてもよいことは、当業者であれば明らかである。たとえば、電子制御デバイス９００のソフトウェアをプログラミングすることで、ネットワークの別のプロセッサに物理的に記憶されているなどしているデータベースを制御することができる。
【００８６】
いくつかの例では、それぞれのシリンジ１３２のプログラムで既定した起動最小量に基づいて自動補充が行なわれるように、電子制御デバイス９００をプログラムしてもよい。たとえば、シリンジ１３２の少なくとも１つに残っている液の量がプログラム設定した量未満であるとき、シリンジ補充手順を電子制御デバイス９００によって自動的に開始する。液注入器システム１００に付属する電子制御デバイス９００は、液注入器システム１００の動作中にそれぞれのシリンジ１３２から分注された液量を追跡することによって、プログラムで既定した起動最小量に達しているかを判断してもよい。これの代わりに、液位センサを液注入器システム１００に組み込んで、当該液位センサからの入力を電子制御デバイス９００に提供してもよく、これにより、シリンジ１３２の少なくとも１つで、プログラムで既定した起動最小量に達した時点を電子制御デバイス９００が判断することができる。電子制御デバイス９００で充填量及び補充速度を、プログラムで既定することができる。自動補充手順を、電子制御デバイス９００によって自動的に停止することができる。これの代わりに、手動で中断してもよい。これに加えて、液注入手順の完了時に、シリンジ１３２の少なくとも１つにプログラム設定した次の液注入手順を実行するのに十分な液がないとき、自動補充手順を開始してもよい。
【００８７】
補充手順中、それぞれのシリンジ１３２に関連するバルク液源１２０の１つ以上が空になる可能性がある（たとえば、１つ以上のシリンジ１３２を完全に補充するのを完了するのに十分な液が最初から無い）。したがって、交換バルク液源１２０が必要であり、このようなバルク液源１２０の交換を迅速に行なうことが望ましい。液注入器システム１００は、液注入器システム１００を用いる前にバルク液源１２０の変更が必要なことを操作者に知らせる聴覚インジケータ及び／又は視覚インジケータなどのインジケータを有してもよい。
【００８８】
上記のように、ＳＵＤＳ１９０をＭＵＤＳ１３０に固定接続した後、たとえば、センサ２４２によって感知されると、液注入器システム１００がＭＵＤＳ１３０及びＳＵＤＳ１９０に対して自動的にプライミングを行なってもよい。このようなプライミング動作で、ＭＵＤＳ１３０から生理食塩水又は別の適当なフラッシング剤を、接続口１９２を通じてＳＵＤＳ１９０のチューブ２０８に注入して廃液溜め１５６まで注入する。廃液溜め１５６に向かう生理食塩水流により、ＭＵＤＳ１３０及びＳＵＤＳ１９０内の一切の空気をチューブ２０８の遠位端２１２から強制的に追い出すことによって液注入器システムから空気が排除される。したがって、生理食塩水がチューブ２０８内の一切の空気と入れ換わることで、チューブ２０８が生理食塩水で満たされた状態になる。
【００８９】
チューブ２０８に対して生理食塩水でプライミングを行なった後、患者に行なわれる臨床的又は治療的輸液手順に関連する１以上の医療用液を、注入プロトコールにしたがってチューブ２０８に予備充填してもよい。図２を参照して上記で説明されているように、充填手順で複数のシリンジ１３２のうちの第１のシリンジに１以上の医療用液を吸引した後、生理食塩水をＳＵＤＳ１９０に届けて、図３Ａ〜図３Ｂを参照して上記で説明されているチューブ２０８に対してプライミングを行なうのにこの生理食塩水を用いてもよい。予備充填動作でＳＵＤＳ１９０に１以上の医療用液を届けると、生理食塩水を廃液流出口２０４を通じて廃液溜め１５６まで押し出すことによって、チューブ２０８から生理食塩水が部分的に排出されたり完全に排出されたりすることになる。この時点で、チューブ２０８を患者に接続して注入プロトコールを開始してもよい。この段階で、チューブ２０８に、生理食塩水ではなく１以上の医療用液が部分的に満たされたり完全に満たされたりするので、輸液手順の一部としての患者への生理食塩水の余計な注入を防止することができる。いくつかの例では、１以上の医療用液がバスキュラアクセスデバイス、針や付加的な液経路セットにも予備充填されるように、チューブ２０８に予備充填する前に、患者に対する輸液を容易にするカテーテル、バスキュラアクセスデバイス、針や付加的な液経路セットをチューブ２０８に接続してもよい。
【００９０】
以下、注入プロトコールを実行するためのＳＵＤＳ１９０に予備充填する典型的な方法を、図７Ａ〜図７Ｂを参照して説明する。ここで説明する典型的な例では、ＳＵＤＳ１９０のチューブ２０８は８ミリリットルの内部容量を有する。注入プロトコール（この典型的な例ではＭＲ注入）では、５ミリリットルの造影剤溶液の輸液の後に２０ミリリットルのフラッシング剤の輸液が必要である。予備充填前に、造影剤溶液をバルク液源１２０のうちの第１のバルク液源から複数のシリンジ１３２のうちの第１のシリンジに吸引し、フラッシング剤をバルク液源１２０のうちの第２のバルク液源から複数のシリンジ１３２のうちの第２のシリンジに吸引してもよい。その後、シリンジ１３２のその後の作動によってＳＵＤＳ１９０にシリンジ１３２に入れられた液が、上記のように導かれるようにＭＵＤＳ１３０のバルブ１３６を閉鎖してもよい。予備充填では、図７Ａに示されているように、チューブ２０８の近位端内まで５ミリリットルの造影剤溶液の第１のボーラス注入分７１０を前進させるよう、シリンジ１３２のうちの第１のシリンジを作動させる。予備充填の前にプライミング動作が実行される場合、チューブ２０８内の第１のボーラス注入分７１０の前進分が、プライミング動作時から残っている液の前進分相当量と入れ換わり、当該残っている液がチューブ２０８の遠位端から排出される。その後、シリンジ１３２のうちの第２のシリンジを作動させて、図７Ｂに示されているように、チューブ２０８の近位端内までフラッシング剤の第２のボーラス注入分７２０を前進させる。この結果、第２のボーラス注入分７２０の前進により、第１のボーラス注入分７１０がチューブ２０８の遠位端の方に押され、さらに、プライミング動作時から残っている液が存在する場合には、その液がチューブ２０８から排出される。この例では、注入プロトコールのための造影剤溶液（５ミリリットル）とフラッシング剤（２０ミリリットル）との総量が、チューブ２０８の容量（８ミリリットル）を超えるので、第２のボーラス注入分７２０の先行分の量は、チューブ２０８の容量（８ミリリットル）から第１のボーラス注入分７１０の量（５ミリリットル）を差し引いたものにほぼ等しい。したがって、第２のボーラス注入分７２０の先行分の量は３ミリリットルである。第２のボーラス注入分７２０をチューブ２０８内まで前進させると、予備充填が完了し、シリンジ１３２のうちの第２のシリンジの作動を停止させる。
【００９１】
この段階で、図７Ｂから分かるように、第１のボーラス注入分７１０がチューブ２０８の遠位端に直に隣接してチューブ２０８を占め、第２のボーラス注入分７２０が第１のボーラス注入分７１０とチューブ２０８の近位端とに隣接してチューブ２０８を占める。フラッシング／プライミング動作から残っている液がチューブ２０８にまったく存在しないか、その無視し得る量が存在するかする。その後、チューブ２０８の遠位端を患者に接続して注入プロトコールを開始してもよい。シリンジ１３２のうちの第２のシリンジを再度作動させて、チューブ２０８内に注入プロトコールに必要なフラッシング剤の残りの量を前進させる。すなわち、追加の１７ミリリットルのフラッシング剤を患者に注入する。これは、注入プロトコールに必要な総量（２０ミリリットル）から第２のボーラス注入分７２０の先行分の量（３ミリリットル）を差し引いたものに等しい。注入プロトコールに必要なフラッシング剤の残りの量がチューブ２０８内まで前進すると、それに続いて第１のボーラス注入分７１０及び第２のボーラス注入分７２０がチューブ２０８から排出されて、患者に注入される。その後、注入プロトコールが完了する。この典型的な例では、患者には２５ミリリットルの総注入液量が入り、これは、８ミリリットルの予備充填量（すなわち、５ミリリットルの第１のボーラス注入分７１０に３ミリリットルの第２のボーラス注入分７２０を加えたもの）に、患者にチューブ２０８が接続された後に注入される１７ミリリットルのフラッシング剤の残りの量を加えたものに等しい。総量（２５ミリリットル）を注入すると、注入プロトコールが完了した後に８ミリリットルのフラッシング剤がチューブ２０８内に残ることになる。
【００９２】
図７Ａ〜図７Ｂに示されている典型的な例の上記の説明から明らかなように、チューブ２０８に予備充填することで、プライミング動作時から残っている液を患者に余計に注入せずに注入プロトコールを実行することができる。これに加えて、第１のボーラス注入分７１０がチューブ２０８の遠位端に直に隣接しているので、造影剤溶液が患者に最小の遅延で注入され、第１のボーラス注入分７１０が患者に達する前に、フラッシング／プライミング液がチューブ２０８から排出されることはまずない。さらに、チューブ２０８に対して造影剤溶液で単純にプライミングを行なうのと異なり、チューブ２０８に予備充填することで、第１のボーラス注入分７１０がチューブ２０８の全容量よりも少ない量を含むことが可能である。そのようにして、注入プロトコールに必要な造影剤溶液を越える余分な造影剤溶液が患者に注入されない。
【００９３】
当然、図７Ａ〜図７Ｂを参照して上記で説明されている典型的な例は、ＳＵＤＳ１９０に予備充填することによって達成することができる様々な注入プロトコールに限定を課すものではない。図８を参照して、図７Ａ〜図７Ｂの第１及び第２のボーラス注入分７１０，７２０について説明されているのと同様に、チューブ２０８に任意の数のボーラス注入分８００ａ〜８００ｎを予備充填することができることを一般的な例で示す。ボーラス注入分８００ａ〜８００ｎの数はチューブ２０８の容量のみによって限定される。ボーラス注入分８００ａ〜８００ｎのいくつかが同じ液を含んでもよい。たとえば、注入プロトコールで造影剤溶液とフラッシング剤とを交互に注入することが必要である場合、第１及び第３のボーラス注入分（８００ａ，８００ｃ）が造影剤溶液を含み、第２及び第４のボーラス注入分８００ｂ，８００ｄがフラッシング剤を含んでもよい。造影剤溶液及びフラッシング剤をそれぞれ含むシリンジ１３２を交互に作動及び停止することによって、これを実現してもよい。いくつかの例では、ボーラス注入分８００ａ〜８００ｎの個々が、注入プロトコールに必要な任意の比率で複数の種類の液を含んでもよい。複数のシリンジ１３２を同時に作動させることによって、これを実現してもよい。いくつかの例では、ボーラス注入分８００ａ〜８００ｎの量が、互いと異なっても互いと同じであってもよい。いくつかの例では、単一のボーラス注入分８００ａのみを予備充填してもよく、その結果、単一のボーラス注入分８００ａに含まれる液でチューブ２０８に対してプライミングを行なうのとほぼ同じ効果が生じる。
【００９４】
図８を引き続き参照し、さらに図１を参照して、液注入器システム１００の少なくとも１つの制御ボタン１２６及び／又はユーザインタフェース１２４を利用して、ボーラス注入分８００ａ〜８００ｎの量、体積、及び液内容物を含む予備充填手順を、操作者が設定及び／又は開始してもよい。さらに、予備充填手順を取り消すのに液注入器システム１００の少なくとも１つの制御ボタン１２６及び／又はユーザインタフェース１２４を、操作者が利用してもよい。ユーザインタフェース１２４は、予備充填が完了してチューブ２０８を患者に接続してもよいときに、操作者に警報を発するように、予備充填状態の感覚インジケータを含んでもよい。感覚インジケータは、たとえば、光、アイコン、ステータスバー、可聴音、又はこれらの組み合せを含んでもよい。チューブ２０８に予備充填されていることにより、患者に輸液される造影剤溶液（又は注入プロトコールに必要な他の医療用液）の遅延が最小であることも、感覚インジケータが知らせてもよい。したがって、操作者はＭＲスキャンやＣＴスキャンのタイミング合わせなどの治療手順の他の部分を調整するのに感覚インジケータを利用して、患者への造影剤溶液の輸液のタイミングを合わせてもよい。
【００９５】
以下、再び図６〜図８を参照して、操作者は電子制御デバイス９００のユーザ入力インタフェース９２８を介して、注入プロトコールを含むコマンドを入力してもよい。ボーラス注入分の数、各ボーラス注入分の医療用液及び各ボーラス注入分の量などの注入プロトコールに含まれる情報に基づいてＳＵＤＳ１９０に予備充填するように、電子制御デバイス９００のプロセッサ９０４をプログラムしたり構成したりしてもよい。予備充填注入プロトコールを実現するのに必要な仕方でシリンジ１３２を作動させるように、電子制御デバイス９００のプロセッサ９０４をプログラムしたり構成したりしてもよい。たとえば、図７Ａ〜図７Ｂに示されている典型的な例を参照して、５ミリリットルの造影剤溶液をチューブ２０８内まで前進させるようにシリンジ１３２のうちの第１のシリンジを作動させて、第１のボーラス注入分７１０を形成するように、プロセッサ９０４をプログラムしたり構成したりしてもよい。３ミリリットルのフラッシング剤をチューブ２０８内まで前進させるようにシリンジ１３２のうちの第２のシリンジを作動させて、第２のボーラス注入分７２０を形成するように、プロセッサ９０４をさらにプログラムしたり構成したりしてもよい。いくつかの例では、第１のボーラス注入分７１０を前進させた後のチューブ２０８の利用可能な容量を計算して、第２のボーラス注入分７２０の量を決定するように、プロセッサ９０４を構成してもよい。図７Ａ〜図７Ｂの例では、注入プロトコールに必要な５ミリリットルの造影剤溶液を前進させた後にチューブ２０８に３ミリリットルの残りの容量があると、プロセッサ９０４が算定してもよい。その後、注入プロトコールに必要なフラッシング剤の２０ミリリットルのうち、３ミリリットルだけをチューブ２０８に第１のボーラス注入分７１０を排出せずに前進させることができると、プロセッサ９０４が判断してもよい。このようにして、３ミリリットルのフラッシング剤だけを、シリンジ１３２のうちの第２のシリンジからプロセッサ９０４が前進させる。その後、注入プロトコールに必要な２０ミリリットルのフラッシング剤のすべてを注入するために、注入プロトコールに必要な残りの１７ミリリットルのフラッシング剤に、ＳＵＤＳ１９０を患者に接続した後のチューブ２０８の容量を占めるための追加の８ミリリットルのフラッシング剤を加えたものを、プロセッサ９０４が前進させる。より一般的には、チューブ２０８の利用可能な容量、すなわち、チューブ２０８の総容量から、既に前進させたボーラス注入分７１０，７２０，８００ａ〜８００ｎの量を差し引いたものを計算して、利用可能な容量に満たない量になるように後続のボーラス注入分７１０，７２０，８００ａ〜８００ｎのサイズを調整するように、プロセッサ９０４をプログラムしたり構成したりしてもよい。
【００９６】
以下、図９を参照して、投与ラインに対する少なくとも部分的な予備充填に関する方法９５０の例を、方法ステップ９５２〜９６３に関して以下説明する。図９に図示されている方法については、いくつかの例で、図７Ａ〜図８を参照して上記で説明されているようにチューブ２０８に予備充填するのに利用してもよい。方法９５０については、液注入器システム１００によって実行される際、コンピュータプログラム製品によって実施してもよい。コンピュータプログラム製品は、診断注入手順の全部又は一部を少なくとも１つのプロセッサに実行させ、少なくとも１つのプロセッサによって実行可能である１つ以上の指示を有する、少なくとも１つの非一時的コンピュータ可読媒体を含んでもよい。いくつかの例又は態様では、少なくとも１つの非一時的コンピュータ可読媒体及び少なくとも１つのプロセッサは、図６を参照して上記で説明されているように、メモリ９０８及びプロセッサ９０４をそれぞれ含んだり対応したりしてもよい。
【００９７】
方法９５０のステップ９５２〜９６３の実行を通じて、液注入器システム１００の複数の動作の制御に関連する１以上のユーザ入力の入力を容易にするように、少なくとも１つのプロセッサ９０４がユーザインタフェース１２４と機能的に通信してもよい。たとえば、１以上のユーザ入力の集合は、診断注入プロトコールの１つ以上の段階にしたがった、第１及び／又は第２の液を用いた投与ラインの少なくとも部分的な予備充填の選択及び開始を可能にすることに関与する、複数の動作の対応する集合の制御に関連してもよい。ユーザ入力は、たとえば、「予備充填選択」コマンド、「予備充填開始」コマンド、及び「予備充填無効化」コマンドを含んでもよい。これらのユーザ入力コマンドの各々については、ユーザ入力の各々に関連する方法ステップに関連づけてさらに詳細に後述する。ユーザ入力については、図６を参照して上記で説明されているユーザ入力インタフェース９２８を介して、ユーザインタフェース１２４に入力してもよい。ユーザ入力を受け付けるのに、たとえば、マイク、トラックボール、ジョイスティック、タッチパッド、タッチ画面、スキャナ、キーボード、マウス、及びこれらの組み合せなどのユーザ入力インタフェース９２８の様々な入力デバイスを利用してもよい。
【００９８】
図９を引き続き参照して、ステップ９５２で、液注入器システム１００の少なくとも１つのプロセッサ９０４を、診断注入プロトコールにしたがってプログラムしてもよい。診断注入プロトコールは１つ以上の段階を含んでもよく、この段階にしたがって行なう場合、第１の液容器及び第２の液容器の少なくとも一方が、少なくとも１つの駆動構成要素によって選択的に作動可能であってもよい。いくつかの例では、第１及び第２の液容器の各々はシリンジ１３２のうちの１つ以上であり、この場合、第１の液（たとえば造影剤溶液）が充填されるように第１の液容器を構成し、第２の液（たとえばフラッシング剤）が充填されるように第２の液容器を構成してもよい。少なくとも１つの駆動構成要素は、たとえば、ピストン要素１０３のうちの１つ以上であってもよい。診断注入プロトコールを少なくとも１つのプロセッサ９０４によって実行することにより、少なくとも１つの駆動構成要素が、ピストン要素１０３を介して液容器のうちの１つ以上を作動させることによって、投与ラインを介して患者に第１の液及び第２の液の少なくとも一方を注入することができる。上記されているように、投与ラインはたとえばチューブ２０８であってもよい。
【００９９】
図９を引き続き参照して、ステップ９５４で、上記のように、液注入器システム１００の少なくとも１つのプロセッサ９０４が第２の液容器を作動させて、投与ラインに対してプライミングを行なってもよい。すなわち、フラッシング剤が、ＭＵＤＳ１３０から接続口１９２を通じてＳＵＤＳ１９０のチューブ２０８に注入され、最終的にＳＵＤＳ１９０のコネクタ２１４の遠位端まで流れる。その後、プライミング動作中に、コネクタ２１４から廃液溜め１５６（典型的にはコネクタ２１４が接続されている）に、一切の余分なフラッシング剤が滴下することが可能である。これにより、ＭＵＤＳ１３０及びＳＵＤＳ１９０内の空気を、チューブ２０８の遠位端２１２から強制的に追い出すことによって、液注入器システム１００から空気が排除される。したがって、フラッシング剤がチューブ２０８内の一切の空気と入れ換わることで、チューブ２０８がフラッシング剤で満たされた状態になる。
【０１００】
図９を引き続き参照して、ステップ９５５で、投与ライン内への少なくとも部分的な予備充填の選択を可能にするように、液注入器システム１００の少なくとも１つのプロセッサ９０４をプログラムしたり構成したりしてもよい。少なくとも部分的な予備充填は、診断注入プロトコールの１以上の段階にしたがった、第１の液及び第２の液の少なくとも一方を含んでもよい。少なくとも部分的な予備充填を、診断注入プロトコールに基づいて、少なくとも１つのプロセッサ９０４によって決定したり選択したりしてもよい。特に、診断注入プロトコールの１つ以上の段階で決められた第１の液の量及び／又は第２の液の量に基づいて、投与ラインに予備充填される第１の液の量及び／又は第２の液の量を、少なくとも１つのプロセッサ９０４によって決定してもよい。ユーザインタフェース１２４に、ユーザ入力として「予備充填選択」コマンドをユーザが入力することによって、ステップ９５５を開始してもよい。診断注入プロトコールのプログラムが完了し、投与ラインに対するプライミングが完了した後、「予備充填選択」コマンドを入力することで、投与ラインへの診断注入プロトコール分の少なくとも部分的な予備充填に備えて、液注入器システム１００を少なくとも１つのプロセッサ９０４が準備することになる。たとえば、「予備充填選択」コマンドを入力することで、方法９５０のステップ９５６で「予備充填開始」コマンドのユーザ入力を受け付けるのに備えて、液注入器システム１００を少なくとも１つのプロセッサ９０４が準備することになる。
【０１０１】
図９を引き続き参照して、ステップ９５６で、診断注入プロトコールにしたがった予備充填を開始するか否かを、少なくとも１つのプロセッサ９０４が判断する。いくつかの例では、ユーザインタフェース１２４にユーザから「予備充填開始」コマンドが入力されるのを、少なくとも１つのプロセッサ９０４が待ち受けてもよい。「予備充填選択」コマンドに引き続いて「予備充填開始」コマンドを受け付けた場合、少なくとも１つのプロセッサ９０４が予備充填を開始すると判断して、方法をステップ９５７に進める。「予備充填選択」コマンドに引き続いて「予備充填開始」コマンドを受け付けていないか、その代わりにユーザが「予備充填無効化」コマンドを入力する場合、少なくとも１つのプロセッサがステップ９５５に戻し、ユーザが「予備充填選択」コマンドを再入力するのを待ち受ける。
【０１０２】
図９を引き続き参照して、ステップ９５７で、予備充填動作を開始すると判断した後、診断注入プロトコールにしたがって注入される第１の液と第２の液との総量（Ａ）と、投与ラインの体積容量（Ｂ）と、を少なくとも１つのプロセッサ９０４が比較する。
【０１０３】
ステップ９５８で、診断注入プロトコールにしたがって注入される第１の液と第２の液との総量（Ａ）が投与ラインの容量（Ｂ）に等しいか否かを、少なくとも１つのプロセッサが決定する。診断注入プロトコールにしたがって注入される第１の液と第２の液との総量（Ａ）が投与ラインの容量（Ｂ）に等しい、と少なくとも１つのプロセッサ９０４が判断する場合、ステップ９５９で、少なくとも１つのプロセッサ９０４が液容器の１つ以上を作動させることによって、診断注入プロトコールの１つ以上の段階にしたがって、診断注入プロトコール分の総量を投与ラインに予備充填する。たとえば、投与ラインの容量が８ミリリットルであり、診断注入プロトコールによって決められた第１の液と第２の液との総量が８ミリリットルである場合、少なくとも１つのプロセッサ９０４が、液注入プロトコールによって決められた８ミリリットルの液を投与ラインに予備充填する。いくつかの例では、液容器の１つ以上を作動させることは、シリンジ１３２に関連するピストン要素１０３を作動させて、シリンジ１３２に含まれる液の少なくとも一部をチューブ２０８内まで前進させることを含む。予備充填の結果、投与ラインのプライミングに用いられた第２の液の量が、投与ラインから排出される。ステップ９５９では、診断注入プロトコールにしたがって注入される第１の液と第２の液との総量が投与ラインの容量に等しいので、診断注入プロトコールに必要な液のすべてが予備充填の際に投与ライン内まで前進する。
【０１０４】
ステップ９５８で、診断注入プロトコールにしたがって注入される第１の液と第２の液との総量（Ａ）が投与ラインの容量（Ｂ）に等しくない、と少なくとも１つのプロセッサ９０４が判断する場合、ステップ９６０で、診断注入プロトコールにしたがって注入される第１の液と第２の液との総量（Ａ）が投与ラインの容量（Ｂ）未満であるか否かを、少なくとも１つのプロセッサ９０４が判断する。診断注入プロトコールにしたがって注入される第１の液と第２の液との総量（Ａ）が投与ラインの容量（Ｂ）未満である、と少なくとも１つのプロセッサ９０４が判断する場合、ステップ９６１で、少なくとも１つのプロセッサ９０４が液容器の１つ以上を作動させることによって、診断注入プロトコールの１つ以上の段階にしたがって、診断注入プロトコール分の総量を投与ラインに予備充填する。いくつかの例では、その後、少なくとも１つのプロセッサ９０４が第２の液容器を作動させて、投与ラインの容量から診断注入プロトコール分の総量を差し引いたものに等しい第２の液の補充量を、投与ラインに予備充填する。たとえば、投与ラインの容量が８ミリリットルであり、診断注入プロトコールによって決められた第１の液と第２の液との総量が５ミリリットルである場合、少なくとも１つのプロセッサ９０４が液注入プロトコールによって決められた５ミリリットルの液を投与ラインに予備充填した後、３ミリリットルの補充量を予備充填して総予備充填量を８ミリリットルにする、すなわち投与ラインの容量に等しくする。これにより、患者に即座に注入するのに備えて診断注入プロトコール分が準備される。いくつかの例では、液容器の１つ以上を作動させることは、シリンジ１３２に関連するピストン要素１０３を作動させて、シリンジ１３２に含まれる液の少なくとも一部をチューブ２０８内まで前進させることを含む。予備充填の結果、投与ラインのプライミングに用いられた第２の液の量が、投与ラインから排出される。ステップ９６１では、診断注入プロトコールにしたがって注入される第１の液と第２の液との総量が投与ラインの容量未満であるので、診断注入プロトコールに必要な液のすべてが、予備充填の際に投与ライン内まで前進する。診断注入プロトコール分の総量を投与ラインの遠位端まで前進させるために第２の液の補足量を予備充填し、これにより、投与ラインに対してプライミングを行なうのに用いられた液が排出される。
【０１０５】
ステップ９６０で、診断注入プロトコールにしたがって注入される第１の液と第２の液との総量（Ａ）が投与ラインの容量（Ｂ）未満でない、と少なくとも１つのプロセッサ９０４が判断する場合、診断注入プロトコールにしたがって注入される第１の液と第２の液との総量（Ａ）が投与ラインの容量（Ｂ）を超える、と少なくとも１つのプロセッサ９０４が判断する。その後、ステップ９６３で、少なくとも１つのプロセッサ９０４が液容器の１つ以上を作動させることによって、投与ラインの容量が許容する限り多くの第１及び第２の液を、診断注入プロトコールの１つ以上の段階にしたがって投与ラインに予備充填する。たとえば、投与ラインの容量が８ミリリットルであり、診断注入プロトコールによって決められた第１の液と第２の液との総量が２５ミリリットルである場合、液注入プロトコールによって決められた先頭の８ミリリットルの液を、投与ラインに少なくとも１つのプロセッサ９０４が予備充填する。予備充填の結果、投与ラインのプライミングに用いられた第２の液の量が投与ラインから排出される。いくつかの例では、液容器の１つ以上を作動させることは、シリンジ１３２に関連するピストン要素１０３を作動させてシリンジ１３２に含まれる液の少なくとも一部をチューブ２０８内まで前進させることを含む。投与ラインの容量まで予備充填した後、診断注入プロトコールの残りの部分をプログラム設定に少なくとも１つのプロセッサ９０４が保持する。たとえば、診断注入プロトコールによって決められた合計２５ミリリットルのうち８ミリリットルの液を投与ラインに予備充填する場合、投与ラインに予備充填されない残りの１７ミリリットルのログをプログラム設定が保持する。その後、診断注入プロトコールが患者に対して実行されるときに診断注入プロトコールの残りの部分を、少なくとも１つのプロセッサ９０４が注入する。すなわち、診断注入プロトコールを患者に対して実行するとき、投与ラインに予備充填される８ミリリットルの液が最初に患者に注入された後、診断注入手順が実行される前にプログラム設定に保持されていた１７ミリリットルが注入される。
【０１０６】
液注入器システム１００にプログラム設定された診断注入プロトコール毎に、方法９５０はステップ９５９，９６１，及び９６３のうち１つのみを含む。以降の診断注入手順では、ステップ９５８，９６０，及び９６２で少なくとも１つのプロセッサ９０４によって行なわれる判断に基づいて同じステップを実行したり、ステップ９５９，９６１，及び９６３のうちの別のステップを方法９５０の一部として実行したりしてもよい。本開示の範囲を逸脱しない限り、ステップ９５８，９６０，及び９６２の順序を変更してもよいことが分かる。たとえば、最初にステップ９６２を少なくとも１つのプロセッサ９０４が実行してもよく、診断注入プロトコールにしたがって注入される第１の液と第２の液との総量（Ａ）が投与ラインの容量（Ｂ）を超えないと判断される場合、以降、ステップ９５８及び／又は９６０を少なくとも１つのプロセッサ９０４が実行してもよい。
【０１０７】
図９を引き続き参照して、ステップ９５９，９６１，又は９６３のいずれかにしたがって投与ラインに予備充填した後、患者に診断注入プロトコールを実行するように、液注入器システム１００の少なくとも１つのプロセッサ９０４をプログラムしたり構成したりしてもよい。特に、少なくとも１つのプロセッサ９０４が、液容器の１つ以上を作動させて、プロトコールによって決められた第１の液と第２の液との総量を患者に注入する。ステップ９５９におけるように、プロトコールによって決められた第１の液と第２の液との総量を投与ラインに完全に予備充填する場合、診断注入手順を患者に実行中であるときに限って、少なくとも１つのプロセッサ９０４が第２の液容器を作動させて、フラッシング剤を予備充填されている液の後方から投与ラインに押し込む。ステップ９６１におけるように、プロトコールによって決められた第１の液と第２の液との総量を生理食塩水の補充量とともに投与ラインに予備充填する場合、少なくとも１つのプロセッサ９０４が第２の液容器を同様に作動させてフラッシング剤をラインに押し込むことで、診断注入プロトコール分の総量を患者に押し込む。ステップ９６３におけるように、診断注入プロトコールの残りの部分がプログラム設定によって保持されている場合、実際に投与ラインに予備充填されたプロトコール分の部分の直後で残りの部分を患者に注入する。これは、少なくとも１つのプロセッサ９０４を介して第２の液容器を作動させて、投与ラインの容量に等しい量の追加のフラッシング剤を投与ラインに押し込むことにより、診断注入プロトコール分のすべてを患者に押し込むことによって実現される。
【０１０８】
方法９５０のステップ９５２〜９６３の実行にわたって、少なくとも１つのプロセッサ９０４がユーザインタフェース１２４と機能的に通信することで、診断注入プロトコールの１つ以上の段階にしたがった第１の液及び第２の液の少なくとも一方の、投与ラインへの少なくとも部分的な予備充填の状態に関連する情報を、ユーザインタフェース１２４に表示させてもよい。状態に関連する情報は、たとえば、診断注入プロトコールにしたがって注入される第１及び／若しくは第２の液の総量、診断注入プロトコールの実行中のいずれかの時点で注入されていた第１及び／若しくは第２の液の量、診断注入プロトコールの実行中のいずれかの時点で注入されないで残っている第１及び／若しくは第２の液の量、並びに／又は診断注入プロトコールの実行中のいずれかの時点で第１及び／若しくは第２の液の注入中の流量、を含んでもよい。さらに、各段階で注入されることになる第１及び／又は第２の液の特定の量及び／又は流量、並びに現在の段階で注入されている第１及び／又は第２の液の特定の量及び／又は流量、などの診断注入プロトコールの１つ以上の段階の各々に関する情報を、少なくとも１つのプロセッサ９０４によってユーザインタフェース１２４に表示させてもよい。
【０１０９】
輸液システム、コンピュータプログラム製品及び１回使い捨てセットコネクタに予備充填する方法のいくつかの例が添付の図面に示され、上記に詳細に説明されているが、本開示の範囲及び精神から逸脱しない限りにおいて他の例が当業者には明らかであり、当業者によって容易に示される。たとえば、本開示は、可能な範囲で、任意の例の１つ以上の特徴を他の任意の例の１つ以上の特徴と組み合わせることができることを企図していることが分かる。したがって、前述の説明は限定的ではなく例示的であることを意図している。
【符号の説明】
【０１１０】
１００  液注入器システム
１０２  注入器ハウジング
１０３  ピストン要素
１０４  両側側面
１０６  上端
１０８  下端
１１０  基部
１１２  車輪
１１４  ハンドル
１１６  扉
１１８  バルク液コネクタ
１２０  バルク液源
１２２  支持部材
１２４  ユーザインタフェース
１２６  制御ボタン
１３０  ＭＵＤＳ
１３２  シリンジ
１３４  ＭＵＤＳ液経路
１３６  バルブ
１４８  マニホールド
１５０  液流入ライン
１５２  液流出ライン
１５６  廃液溜め
１９０  ＳＵＤＳ
１９２  接続口
１９４  開口
１９６  廃液流入口
１９８  目視窓
２００  しるし
２０２  液流入口
２０４  廃液流出口
２０６  スペーサ
２０７  フィン
２０８  チューブ
２１０  近位端
２１２  遠位端
２１４  コネクタ
２１６  係止タブ
２１７  スロット
２１８  押下面
２２０  環状スカート
２２２  遠位端
２２４  環状スカート
２２６  近位端
２２８  凹所
２３０  陥凹部
２３４  環状シール
２３６  一方向チェックバルブ
２３８  センサシステム
２４０  センサフィン
２４２  センサ
２８０  一方向チェックバルブ
７１０  第１のボーラス注入分
７２０  第２のボーラス注入分
８００ａ〜８００ｎ  ボーラス注入分
９００  電子制御デバイス
９０２  コンピューティングシステム環境
９０４  プロセッサ
９０６  システムバス
９０８  システムメモリ
９１０  非リムーバブルメモリインタフェース
９１２  ハードディスクドライブ
９１４  リムーバブル不揮発メモリインタフェース
９１６  磁気ディスクドライブユニット
９１８  リムーバブル不揮発磁気ディスク
９２０  光ディスクドライブユニット
９２１  ＵＳＢポート
９２２  リムーバブル不揮発光ディスク
９２８  ユーザ入力インタフェース
９３０  モニタ
９３２  プリンタ
９３４  スピーカ
９３６  出力インタフェース
９３８  ネットワーク環境
９４０  通信デバイス
９４２  通信インタフェース
９４４  コンピュータ
９４４  リモートコンピュータ
９５０  方法
【図１】
2021520876.tif 000003
【図２】
2021520876.tif 000004
【図３Ａ】
2021520876.tif 000005
【図３Ｂ】
2021520876.tif 000006
【図４Ａ】
2021520876.tif 000007
【図４Ｂ】
2021520876.tif 000008
【図４Ｃ】
2021520876.tif 000009
【図５】
2021520876.tif 000010
【図６】
2021520876.tif 000011
【図７Ａ】
2021520876.tif 000012
【図７Ｂ】
2021520876.tif 000013
【図８】
2021520876.tif 000014
【図９】
2021520876.tif 000015
【国際調査報告】
2021520876.tif 000016
2021520876.tif 000017
2021520876.tif 000018